(57)【要約】  本発明は、クラウドカードに基づく電話呼び出し方法、装置、プログラム及び記録媒体に関するものであり、当該方法は、第１のユーザのユーザ識別子が含まれている第１のユーザのクラウドカード情報を受信するステップと、第１のユーザのユーザ識別子に基づいて第１のユーザに対応するクラウドカードを検索すると、第１のユーザのクラウドカード情報に基づいて、第１のユーザに対応するクラウドカードを更新することによって、第１のユーザの更新後のクラウドカードを取得するステップと、第１のユーザの更新後のクラウドカードを第２のユーザに送信して、第１のユーザと第２のユーザが互いに通信する際に、第２のユーザが第１のユーザの更新後のクラウドカードに基づいて第１のユーザを識別し、第１のユーザの更新後のクラウドカードを表示するようにするステップと、を含み、第２のユーザは、上記第１のユーザのユーザ識別子を記憶しているユーザである。【選択図】図１
2017518008.tif 000002
【特許請求の範囲】
【請求項１】
第１のユーザのユーザ識別子が含まれている第１のユーザのクラウドカード情報を受信するステップと、
上記第１のユーザのユーザ識別子に基づいて上記第１のユーザに対応するクラウドカードを検索すると、上記第１のユーザのクラウドカード情報に基づいて、上記第１のユーザに対応するクラウドカードを更新することによって、上記第１のユーザの更新後のクラウドカードを取得するステップと、
上記第１のユーザの更新後のクラウドカードを第２のユーザに送信して、上記第１のユーザと上記第２のユーザが互いに通信する際に、上記第２のユーザが上記第１のユーザの更新後のクラウドカードに基づいて上記第１のユーザを識別し、上記第１のユーザの更新後のクラウドカードを表示するようにするステップと、
を含み、
上記第２のユーザは、上記第１のユーザのユーザ識別子を記憶しているユーザであることを特徴とするクラウドカードに基づく電話呼び出し方法。
【請求項２】
上記第１のユーザのクラウドカード情報は、上記第１のユーザに対応するクラウドカードに含まれる各情報とバージョンナンバーを含み、
上記第１のユーザのクラウドカード情報に基づいて、上記第１のユーザに対応するクラウドカードを更新することによって、上記第１のユーザの更新後のクラウドカードを取得するステップは、
受信したバージョンナンバーとローカルに記憶されている上記第１のユーザに対応するクラウドカードのバージョンナンバーを比較して比較結果を得るステップと、
受信したクラウドカード情報がローカルに記憶されている上記第１のユーザに対応するクラウドカードの更新バージョンであることを上記比較結果が示す場合、受信したクラウドカード情報を用いて、ローカルに記憶されている上記第１のユーザに対応するクラウドカードを更新することによって、上記第１のユーザの更新後のクラウドカードを得るステップと、
を含むことを特徴とする請求項１に記載のクラウドカードに基づく電話呼び出し方法。
【請求項３】
上記方法は、
上記第１のユーザのユーザ識別子に基づいて上記第１のユーザに対応するクラウドカードを検索できなかった場合、上記第１のユーザのクラウドカード情報に基づいて上記第１のユーザに対応するクラウドカードを作成することによって、上記第１のユーザが作成したクラウドカードを取得するステップと、
上記第１のユーザが作成したクラウドカードを第２のユーザに対応する第２の端末に送信することによって、上記第１のユーザと上記第２のユーザが互いに通信する際に、上記第２のユーザが上記第１のユーザにより作成されたクラウドカードに基づいて上記第１のユーザを識別し、上記第１のユーザが作成したクラウドカードを表示するようにするステップと、
をさらに含み、
上記第２のユーザは、上記第１のユーザのユーザ識別子を記憶しているユーザであることを特徴とする請求項１に記載のクラウドカードに基づく電話呼び出し方法。
【請求項４】
上記第１のユーザと上記第２のユーザの間の通信は、
上記第１のユーザが更新後の電話番号を用いて上記第２のユーザを呼び出す通信方式と、
上記第１のユーザが更新後の電話番号を用いて上記第２のユーザにショットメッセージを送信する通信方式と、
上記第１のユーザが更新後のＥメールアドレスを用いて、上記第２のユーザにＥメールを送信する通信方式のうちの少なくとも１つを含み、
上記更新後の電話番号、上記更新後のＥメールアドレスは、上記第１のユーザの名刺情報に含まれていることを特徴とする請求項１乃至請求項３の何れか１項に記載のクラウドカードに基づく電話呼び出し方法。
【請求項５】
クラウドサーバから送信された第１のユーザの更新後のクラウドカードを受信するステップと、
上記第１のユーザの更新後のクラウドカードに基づいて、ローカルに記憶されている上記第１のユーザに対応するクラウドカードを更新するステップと、
上記第１のユーザと第２のユーザが互いに通信する際に、上記第１のユーザの更新後のクラウドカードに基づいて上記第１のユーザを識別し、上記第１のユーザの更新後のクラウドカードを表示するステップと、
を含み、
上記第２のユーザは、上記第１のユーザのユーザ識別子を記憶しているユーザであることを特徴とするクラウドカードに基づく電話呼び出し方法。
【請求項６】
上記方法は、
上記クラウドサーバから送信された上記第１のユーザが作成したクラウドカードを受信するステップと、
上記第１のユーザが作成したクラウドカードをローカルの連絡先に記憶するステップと、
上記第１のユーザと上記第２のユーザが互いに通信する際に、上記第１のユーザが作成したクラウドカードに基づいて上記第１のユーザを識別し、上記第１のユーザが作成したクラウドカードを表示するステップと、
をさらに含むことを特徴とする請求項５に記載のクラウドカードに基づく電話呼び出し方法。
【請求項７】
第１のユーザのユーザ識別子が含まれている第１のユーザのクラウドカード情報を受信するための受信モジュールと、
上記第１のユーザのユーザ識別子に基づいて上記第１のユーザに対応するクラウドカードを検索すると、上記第１のユーザのクラウドカード情報に基づいて、上記第１のユーザに対応するクラウドカードを更新することによって、上記第１のユーザの更新後のクラウドカードを取得するための更新モジュールと、
上記第１のユーザの更新後のクラウドカードを第２のユーザに送信して、上記第１のユーザと上記第２のユーザが互いに通信する際に、上記第２のユーザが上記第１のユーザの更新後のクラウドカードに基づいて上記第１のユーザを識別し、上記第１のユーザの更新後のクラウドカードを表示するようにするための第１の送信モジュールと、
を含み、
上記第２のユーザは、上記第１のユーザのユーザ識別子を記憶しているユーザであることを特徴とするクラウドカードに基づく電話呼び出し装置。
【請求項８】
上記第１のユーザのクラウドカード情報は、上記第１のユーザに対応するクラウドカードに含まれる各情報とバージョンナンバーを含み、
上記更新モジュールは、
受信したバージョンナンバーとローカルに記憶されている上記第１のユーザに対応するクラウドカードのバージョンナンバーを比較して比較結果を得るための比較サブモジュールと、
受信したクラウドカード情報がローカルに記憶されている上記第１のユーザに対応するクラウドカードの更新バージョンであることを上記比較結果が示す場合、受信したクラウドカード情報を用いて、ローカルに記憶されている上記第１のユーザに対応するクラウドカードを更新することによって、上記第１のユーザの更新後のクラウドカードを得るための更新サブモジュールと、
を含むことを特徴とする請求項７に記載のクラウドカードに基づく電話呼び出し装置。
【請求項９】
上記装置は、
上記第１のユーザのユーザ識別子に基づいて上記第１のユーザに対応するクラウドカードを検索できなかった場合、上記第１のユーザのクラウドカード情報に基づいて上記第１のユーザに対応するクラウドカードを作成することによって、上記第１のユーザが作成したクラウドカードを取得するための作成モジュールと、
上記第１のユーザが作成したクラウドカードを第２のユーザに対応する第２の端末に送信することによって、上記第１のユーザと上記第２のユーザが互いに通信する際に、上記第２のユーザが上記第１のユーザにより作成されたクラウドカードに基づいて上記第１のユーザを識別し、上記第１のユーザが作成したクラウドカードを表示するようにするための第２の送信モジュールと、
をさらに含み、
上記第２のユーザは、上記第１のユーザのユーザ識別子を記憶しているユーザであることを特徴とする請求項７に記載のクラウドカードに基づく電話呼び出し装置。
【請求項１０】
上記第１のユーザと上記第２のユーザの間の通信は、
上記第１のユーザが更新後の電話番号を用いて上記第２のユーザを呼び出す通信方式と、
上記第１のユーザが更新後の電話番号を用いて上記第２のユーザにショットメッセージを送信する通信方式と、
上記第１のユーザが更新後のＥメールアドレスを用いて、上記第２のユーザにＥメールを送信する通信方式のうちの少なくとも１つを含み、
上記更新後の電話番号、上記更新後のＥメールアドレスは、上記第１のユーザの名刺情報に含まれていることを特徴とする請求項７乃至請求項９の何れか１項に記載のクラウドカードに基づく電話呼び出し装置。
【請求項１１】
クラウドサーバから送信された第１のユーザの更新後のクラウドカードを受信するための第１の受信モジュールと、
上記第１のユーザの更新後のクラウドカードに基づいて、ローカルに記憶されている上記第１のユーザに対応するクラウドカードを更新するための更新モジュールと、
上記第１のユーザと第２のユーザが互いに通信する際に、上記第１のユーザの更新後のクラウドカードに基づいて上記第１のユーザを識別し、上記第１のユーザの更新後のクラウドカードを表示するための第１の表示モジュールと、
を含み、
上記第２のユーザは、上記第１のユーザのユーザ識別子を記憶しているユーザであることを特徴とするクラウドカードに基づく電話呼び出し装置。
【請求項１２】
上記装置は、
上記クラウドサーバから送信された上記第１のユーザが作成したクラウドカードを受信するための第２の受信モジュールと、
上記第１のユーザが作成したクラウドカードをローカルの連絡先に記憶するための記憶モジュールと、
上記第１のユーザと上記第２のユーザが互いに通信する際に、上記第１のユーザが作成したクラウドカードに基づいて上記第１のユーザを識別し、上記第１のユーザが作成したクラウドカードを表示するための第２の表示モジュールと、
をさらに含むことを特徴とする請求項１１に記載のクラウドカードに基づく電話呼び出し装置。
【請求項１３】
プロセッサと、
前記プロセッサにより実行可能な命令を記憶するためのメモリと、
を含み、
前記プロセッサは、
第１のユーザのユーザ識別子が含まれている第１のユーザのクラウドカード情報を受信し、
上記第１のユーザのユーザ識別子に基づいて上記第１のユーザに対応するクラウドカードを検索すると、上記第１のユーザのクラウドカード情報に基づいて、上記第１のユーザに対応するクラウドカードを更新することによって、上記第１のユーザの更新後のクラウドカードを取得し、
上記第１のユーザの更新後のクラウドカードを第２のユーザに送信して、上記第１のユーザと上記第２のユーザが互いに通信する際に、上記第２のユーザが上記第１のユーザの更新後のクラウドカードに基づいて上記第１のユーザを識別し、上記第１のユーザの更新後のクラウドカードを表示するように構成され、
上記第２のユーザは、上記第１のユーザのユーザ識別子を記憶しているユーザであることを特徴とするクラウドカードに基づく電話呼び出し装置。
【請求項１４】
プロセッサと、
前記プロセッサにより実行可能な命令を記憶するためのメモリと、
を含み、
前記プロセッサは、
クラウドサーバから送信された第１のユーザの更新後のクラウドカードを受信し、
上記第１のユーザの更新後のクラウドカードに基づいて、ローカルに記憶されている上記第１のユーザに対応するクラウドカードを更新し、
上記第１のユーザと第２のユーザが互いに通信する際に、上記第１のユーザの更新後のクラウドカードに基づいて上記第１のユーザを識別し、上記第１のユーザの更新後のクラウドカードを表示するように構成され、
上記第２のユーザは、上記第１のユーザのユーザ識別子を記憶しているユーザであることを特徴とするクラウドカードに基づく電話呼び出し装置。
【発明の詳細な説明】
【技術分野】
【０００１】
本発明は、ネットワーク通信技術分野に関するものであり、特に、クラウドカードに基づく電話呼び出し方法、及び装置に関するものである。
【背景技術】
【０００２】
ネットワーク通信技術の絶え間のない発展につれて、一般的な電子名刺がますますクラウドカード（ｃｌｏｕｄ ｃａｒｄ）に取って代えられている。ここで、クラウドカードは、ユーザにより作成され、クラウド側のサーバに記憶される電子名刺である。関連技術において、ユーザは、クラウドカードをアップロードした後に、クラウドカードに対して、例えば、クラウドカードに対するクラウドカードの分類、クラウドカードの整理、クラウドカードの快速照会、友達とのクラウドカードの共有、及びアラーム機能を管理することができる。しかしながら、ユーザのクラウドカードが更新された後、当該ユーザの連絡者が当該ユーザを識別する速度が遅くなり、ユーザの体験が悪くなる。
【発明の概要】
【０００３】
本発明は、従来技術において、ユーザのクラウドカードが更新された後、当該ユーザの連絡者が当該ユーザを識別する速度が遅くなり、ユーザの体験が悪くなる問題点を解決できるクラウドカードに基づく電話呼び出し方法、及び装置を提供する。
【０００４】
本発明の実施例の第１の局面によると、クラウドカードに基づく電話呼び出し方法を提供し、当該方法は、
第１のユーザのユーザ識別子が含まれている第１のユーザのクラウドカード情報を受信するステップと、
上記第１のユーザのユーザ識別子に基づいて上記第１のユーザに対応するクラウドカードを検索すると、上記第１のユーザのクラウドカード情報に基づいて、上記第１のユーザに対応するクラウドカードを更新することによって、上記第１のユーザの更新後のクラウドカードを取得するステップと、
上記第１のユーザの更新後のクラウドカードを第２のユーザに送信して、上記第１のユーザと上記第２のユーザが互いに通信する際に、上記第２のユーザが上記第１のユーザの更新後のクラウドカードに基づいて上記第１のユーザを識別し、上記第１のユーザの更新後のクラウドカードを表示するようにするステップと、を含み、
上記第２のユーザは、上記第１のユーザのユーザ識別子を記憶しているユーザである。
【０００５】
選択的に、上記第１のユーザのクラウドカード情報は、上記第１のユーザに対応するクラウドカードに含まれる各情報とバージョンナンバーを含み、
上記第１のユーザのクラウドカード情報に基づいて、上記第１のユーザに対応するクラウドカードを更新することによって、上記第１のユーザの更新後のクラウドカードを取得するステップは、
受信したバージョンナンバーとローカルに記憶されている上記第１のユーザに対応するクラウドカードのバージョンナンバーを比較して比較結果を得るステップと、
受信したクラウドカード情報がローカルに記憶されている上記第１のユーザに対応するクラウドカードの更新バージョンであることを上記比較結果が示す場合、受信したクラウドカード情報を用いて、ローカルに記憶されている上記第１のユーザに対応するクラウドカードを更新することによって、上記第１のユーザの更新後のクラウドカードを得るステップと、を含む。
【０００６】
選択的に、上記方法は、
上記第１のユーザのユーザ識別子に基づいて上記第１のユーザに対応するクラウドカードを検索できなかった場合、上記第１のユーザのクラウドカード情報に基づいて上記第１のユーザに対応するクラウドカードを作成することによって、上記第１のユーザが作成したクラウドカードを取得するステップと、
上記第１のユーザが作成したクラウドカードを第２のユーザに対応する第２の端末に送信することによって、上記第１のユーザと上記第２のユーザが互いに通信する際に、上記第２のユーザが上記第１のユーザにより作成されたクラウドカードに基づいて上記第１のユーザを識別し、上記第１のユーザが作成したクラウドカードを表示するようにするステップと、をさらに含み、
上記第２のユーザは、上記第１のユーザのユーザ識別子を記憶しているユーザである。
【０００７】
選択的に、上記第１のユーザと上記第２のユーザの間の通信は、
上記第１のユーザが更新後の電話番号を用いて上記第２のユーザを呼び出す通信方式と、
上記第１のユーザが更新後の電話番号を用いて上記第２のユーザにショットメッセージを送信する通信方式と、
上記第１のユーザが更新後のＥメールアドレスを用いて、上記第２のユーザにＥメールを送信する通信方式のうちの少なくとも１つを含み、
上記更新後の電話番号、上記更新後のＥメールアドレスは、上記第１のユーザの名刺情報に含まれている。
【０００８】
本発明の実施例の第２の局面によると、クラウドカードに基づく電話呼び出し方法 を提供し、当該方法は、
クラウドサーバから送信された第１のユーザの更新後のクラウドカードを受信するステップと、
上記第１のユーザの更新後のクラウドカードに基づいて、ローカルに記憶されている上記第１のユーザに対応するクラウドカードを更新するステップと、
上記第１のユーザと第２のユーザが互いに通信する際に、上記第１のユーザの更新後のクラウドカードに基づいて上記第１のユーザを識別し、上記第１のユーザの更新後のクラウドカードを表示するステップと、を含み、
上記第２のユーザは、上記第１のユーザのユーザ識別子を記憶しているユーザである。
【０００９】
選択的に、上記方法は、
上記クラウドサーバから送信された上記第１のユーザが作成したクラウドカードを受信するステップと、
上記第１のユーザが作成したクラウドカードをローカルの連絡先に記憶するステップと、
上記第１のユーザと上記第２のユーザが互いに通信する際に、上記第１のユーザが作成したクラウドカードに基づいて上記第１のユーザを識別し、上記第１のユーザが作成したクラウドカードを表示するステップと、をさらに含む。
【００１０】
本発明の実施例の第３の局面によると、クラウドカードに基づく電話呼び出し装置を提供し、当該装置は、
第１のユーザのユーザ識別子が含まれている第１のユーザのクラウドカード情報を受信するための受信モジュールと、
上記第１のユーザのユーザ識別子に基づいて上記第１のユーザに対応するクラウドカードを検索すると、上記第１のユーザのクラウドカード情報に基づいて、上記第１のユーザに対応するクラウドカードを更新することによって、上記第１のユーザの更新後のクラウドカードを取得するための更新モジュールと、
上記第１のユーザの更新後のクラウドカードを第２のユーザに送信して、上記第１のユーザと上記第２のユーザが互いに通信する際に、上記第２のユーザが上記第１のユーザの更新後のクラウドカードに基づいて上記第１のユーザを識別し、上記第１のユーザの更新後のクラウドカードを表示するようにするための第１の送信モジュールと、を含み、
上記第２のユーザは、上記第１のユーザのユーザ識別子を記憶しているユーザである。
【００１１】
選択的に、上記第１のユーザのクラウドカード情報は、上記第１のユーザに対応するクラウドカードに含まれる各情報とバージョンナンバーを含み、
上記更新モジュールは、
受信したバージョンナンバーとローカルに記憶されている上記第１のユーザに対応するクラウドカードのバージョンナンバーを比較して比較結果を得るための比較サブモジュールと、
受信したクラウドカード情報がローカルに記憶されている上記第１のユーザに対応するクラウドカードの更新バージョンであることを上記比較結果が示す場合、受信したクラウドカード情報を用いて、ローカルに記憶されている上記第１のユーザに対応するクラウドカードを更新することによって、上記第１のユーザの更新後のクラウドカードを得るための更新サブモジュールと、を含む。
【００１２】
選択的に、上記装置は、
上記第１のユーザのユーザ識別子に基づいて上記第１のユーザに対応するクラウドカードを検索できなかった場合、上記第１のユーザのクラウドカード情報に基づいて上記第１のユーザに対応するクラウドカードを作成することによって、上記第１のユーザが作成したクラウドカードを取得するための作成モジュールと、
上記第１のユーザが作成したクラウドカードを第２のユーザに対応する第２の端末に送信することによって、上記第１のユーザと上記第２のユーザが互いに通信する際に、上記第２のユーザが上記第１のユーザにより作成されたクラウドカードに基づいて上記第１のユーザを識別し、上記第１のユーザが作成したクラウドカードを表示するようにするための第２の送信モジュールと、をさらに含み、
上記第２のユーザは、上記第１のユーザのユーザ識別子を記憶しているユーザである。
【００１３】
選択的に、上記第１のユーザと上記第２のユーザの間の通信は、
上記第１のユーザが更新後の電話番号を用いて上記第２のユーザを呼び出す通信方式と、
上記第１のユーザが更新後の電話番号を用いて上記第２のユーザにショットメッセージを送信する通信方式と、
上記第１のユーザが更新後のＥメールアドレスを用いて、上記第２のユーザにＥメールを送信する通信方式のうちの少なくとも１つを含み、
上記更新後の電話番号、上記更新後のＥメールアドレスは、上記第１のユーザの名刺情報に含まれている。
【００１４】
本発明の実施例の第４の局面によると、クラウドカードに基づく電話呼び出し装置を提供し、当該装置は、
クラウドサーバから送信された第１のユーザの更新後のクラウドカードを受信するための第１の受信モジュールと、
上記第１のユーザの更新後のクラウドカードに基づいて、ローカルに記憶されている上記第１のユーザに対応するクラウドカードを更新するための更新モジュールと、
上記第１のユーザと第２のユーザが互いに通信する際に、上記第１のユーザの更新後のクラウドカードに基づいて上記第１のユーザを識別し、上記第１のユーザの更新後のクラウドカードを表示するための第１の表示モジュールと、を含み、
上記第２のユーザは、上記第１のユーザのユーザ識別子を記憶しているユーザである。
【００１５】
選択的に、上記装置は、
上記クラウドサーバから送信された上記第１のユーザが作成したクラウドカードを受信するための第２の受信モジュールと、
上記第１のユーザが作成したクラウドカードをローカルの連絡先に記憶するための記憶モジュールと、
上記第１のユーザと上記第２のユーザが互いに通信する際に、上記第１のユーザが作成したクラウドカードに基づいて上記第１のユーザを識別し、上記第１のユーザが作成したクラウドカードを表示するための第２の表示モジュールと、をさらに含む。
【００１６】
本発明の実施例の第５の局面によると、クラウドカードに基づく電話呼び出し装置を提供し、当該装置は、
プロセッサと、
前記プロセッサにより実行可能な命令を記憶するためのメモリと、を含み、
前記プロセッサは、
第１のユーザのユーザ識別子が含まれている第１のユーザのクラウドカード情報を受信し、
上記第１のユーザのユーザ識別子に基づいて上記第１のユーザに対応するクラウドカードを検索すると、上記第１のユーザのクラウドカード情報に基づいて、上記第１のユーザに対応するクラウドカードを更新することによって、上記第１のユーザの更新後のクラウドカードを取得し、
上記第１のユーザの更新後のクラウドカードを第２のユーザに送信して、上記第１のユーザと上記第２のユーザが互いに通信する際に、上記第２のユーザが上記第１のユーザの更新後のクラウドカードに基づいて上記第１のユーザを識別し、上記第１のユーザの更新後のクラウドカードを表示するように構成され、
上記第２のユーザは、上記第１のユーザのユーザ識別子を記憶しているユーザである。
【００１７】
本発明の実施例の第６の局面によると、クラウドカードに基づく電話呼び出し装置を提供し、当該装置は、
プロセッサと、
前記プロセッサにより実行可能な命令を記憶するためのメモリと、を含み、
前記プロセッサは、
クラウドサーバから送信された第１のユーザの更新後のクラウドカードを受信し、
上記第１のユーザの更新後のクラウドカードに基づいて、ローカルに記憶されている上記第１のユーザに対応するクラウドカードを更新し、
上記第１のユーザと第２のユーザが互いに通信する際に、上記第１のユーザの更新後のクラウドカードに基づいて上記第１のユーザを識別し、上記第１のユーザの更新後のクラウドカードを表示するように構成され、
上記第２のユーザは、上記第１のユーザのユーザ識別子を記憶しているユーザである。
【００１８】
本発明の実施例に係る技術案は、下記の有益な効果を有する。
【００１９】
本発明において、クラウドサーバは、第１のユーザのクラウドカード情報を受信した後、当該クラウドカード情報に基づいて、第１のユーザに対応するクラウドカードを自動に更新することができ、更新後のクラウドカードを第２のユーザに送信して、第２のユーザが第１のユーザのクラウドカードを自動に更新するようにし、第１のユーザと第２のユーザが通信する際に、第２のユーザが第１のユーザを自動に識別できるようにすることによって、第２のユーザが第１のユーザを識別する速度と正確度を向上させ、第２のユーザのユーザ体験も向上させる。
【００２０】
本発明において、クラウドサーバは、第１のユーザのクラウドカード情報を受信した後、第１のユーザに対応するクラウドカードに含まれる各情報とバージョンナンバーを当該クラウドカード情報が含む場合、バージョンナンバーに基づいて、記憶されている第１のユーザのクラウドカードの更新要否を直接確定することができ、更新を確定すると、受信したクラウドカード情報で既に記憶されている第１のユーザのクラウドカードを直接代えることによって、クラウドサーバの更新速度も比較的速くすることができる。
【００２１】
本発明において、クラウドサーバは、第１のユーザのクラウドカード情報を受信した後、自分が第１のユーザのクラウドカードを作成しなかった場合、受信した情報に基づいて第１のユーザのクラウドカードを作成し、作成したクラウドカードを第２のユーザに送信して、第２のユーザが第１のユーザのクラウドカードを記憶するようにし、第１のユーザと第２のユーザが通信する際に、第２のユーザが第１のユーザを自動に識別できるようにすることによって、第２のユーザが第１のユーザを識別する速度と正確度を向上させ、第２のユーザのユーザ体験も向上させる。
【００２２】
本発明において、第２の端末は、クラウドサーバから送信された第１のユーザの更新後のクラウドカードを受信すると、第１のユーザの更新後のクラウドカードに基づいて、ローカルに記憶されている第１のユーザに対応するクラウドカードを自動に更新し、第１のユーザと第２のユーザが互いに通信する際に、第１のユーザの更新後のクラウドカードに基づいて第１のユーザを識別し、第１のユーザの更新後のクラウドカードを表示して、第２のユーザが第１のユーザの更新後のクラウドカードに基づいて第１のユーザを自動に識別できるようにすることによって、第２のユーザが第１のユーザを識別する速度と正確度を向上させ、第２のユーザのユーザ体験も向上させる。ここで、第１のユーザは、第２の端末に対応する第２のユーザの連絡者である。
【００２３】
本発明において、第２の端末は、第２の端末は、クラウドサーバから送信された第１のユーザが作成したクラウドカードを受信すると、第１のユーザが作成したクラウドカードをローカルの連絡先に自動に記憶し、第１のユーザと第２のユーザが互いに通信する際に、第１のユーザが作成したクラウドカードに基づいて第１のユーザを識別し、第１のユーザが作成したクラウドカードを表示して、第２のユーザが第１のユーザにより作成されたクラウドカードに基づいて第１のユーザを自動に識別できるようにすることによって、第２のユーザが第１のユーザを識別する速度と正確度を向上させ、第２のユーザのユーザ体験も向上させる。
【００２４】
以上の一般的な記述と、以下の詳細の記述は、ただ例示的なものであって、本発明を限定するものではないことを理解すべきである。
【図面の簡単な説明】
【００２５】
ここの図面は、明細書に組み入れて本明細書の一部分を構成し、本発明に該当する実施例を例示するとともに、明細書とともに本発明の原理を解釈するために用いられる。
【図１】図１は、本発明の１つの例示的な実施例に係るクラウドカードに基づく電話呼び出し方法のフローチャートである。
【図２】図２は、本発明の１つの例示的な実施例に係る別のクラウドカードに基づく電話呼び出し方法のフローチャートである。
【図３】図３は、本発明の１つの例示的な実施例に係る別のクラウドカードに基づく電話呼び出し方法のフローチャートである。
【図４】図４は、本発明の１つの例示的な実施例に係る別のクラウドカードに基づく電話呼び出し方法のフローチャートである。
【図５】図５は、本発明の１つの例示的な実施例に係る別のクラウドカードに基づく電話呼び出し方法のフローチャートである。
【図６】図６は、本発明の１つの例示的な実施例に係るクラウドカードに基づく電話呼び出し方法の応用場面図である。
【図７】図７は、本発明の１つの例示的な実施例に係るクラウドカードに基づく電話呼び出し装置のブロック図である。
【図８】図８は、本発明の１つの例示的な実施例に係る別のクラウドカードに基づく電話呼び出し装置のブロック図である。
【図９】図９は、本発明の１つの例示的な実施例に係る別のクラウドカードに基づく電話呼び出し装置のブロック図である。
【図１０】図１０は、本発明の１つの例示的な実施例に係る別のクラウドカードに基づく電話呼び出し装置のブロック図である。
【図１１】図１１は、本発明の１つの例示的な実施例に係る別のクラウドカードに基づく電話呼び出し装置のブロック図である。
【図１２】図１２は、本発明の１つの例示的な実施例に係るクラウドカードに基づく電話呼び出し装置に用いられる構成の模式図である。
【図１３】図１３は、本発明の１つの例示的な実施例に係るクラウドカードに基づく電話呼び出し装置に用いられる別の構成の模式図である。
【発明を実施するための形態】
【００２６】
ここで、図面に示される例示的な実施例について詳細に説明する。以下、図面に関連して説明する際に、特別な説明がない限り、異なる図面での同一符号は、同一または類似な要素を示す。以下の例示的な実施例で記載する実施例は、本発明に一致する全ての実施例を代表するわけではない。かえって、それらは、添付される特許請求の範囲で詳細に記載される本発明の一部の態様に一致する装置、及び方法の例に過ぎない。
【００２７】
本発明で使用される用語は特定の実施例を表現する目的でのみ出されており、本発明を限定するものではない。本発明と添付された特許請求の範囲において使用された単数形式の「一種」、「上記」、および「当該」も、上下の文がその他の意味を明確に示す場合を除き、複数の形式を含むものである。さらに理解するべきことは、本文中で使用される「及び／又は」は、一又は複数の関連する列挙項目のいずれか又はすべての可能な組合せを含む。
【００２８】
理解が必要なことは、本発明において第１、第２、第３などの用語を採用して各種情報を表現しているかもしれないが、これらの情報はこれらの用語に限定されない。これらの用語は、同一類型の情報を互いに区別するためだけに用いられる。例えば、本発明の範囲を超えない状況の下、第１の情報は第２の情報ということもでき、同様に、第２の情報を第１の情報ということもできる。言葉環境によって、例えば、ここで使用している単語「もし」は、「…であるとき」、「…である際」又は「確定に応じて」に解釈してもよい。
【００２９】
図１に示されるように、図１は、本発明の１つの例示的な実施例に係るクラウドカードに基づく電話呼び出し方法のフローチャートであり、当該方法は、クラウドサーバに適用可能であり、下記のステップを含む。
【００３０】
ステップ１１０において、第１のユーザのユーザ識別子が含まれている第１のユーザのクラウドカード情報を受信する。ここで、当該第１のユーザのクラウドカード情報は、第１のユーザが使用する第１の端末からクラウドサーバに送信されたものであってもよい。
【００３１】
本発明の実施例において、クラウドカード情報は、第１のユーザが初めて作成したクラウドカードにおける情報であってもよく、更新する必要のある情報であってもよい。ここで、クラウドカードは、第１のユーザが作成してクラウドサーバに記憶した電子名刺であってもよく、第１のユーザがクラウドカードをアップロードした後、サーバは、第１のユーザのクラウドカードを管理することができる。例えば、第１のユーザは、ユーザＡであり、ユーザＡのクラウドカードには、ユーザＡの名前、携帯電話番号、及びプロファイル写真などが含まれる。
【００３２】
また、第１のユーザのユーザ識別子は、第１のユーザがクラウドサーバに登録したユーザ名であってもよく、第１のユーザの携帯電話番号などであってもよい。その目的は、クラウドサーバが当該ユーザ識別子に基づいて第１のユーザに対応するクラウドカードを検索できるようにするためである。
【００３３】
ステップ１２０において、第１のユーザのユーザ識別子に基づいて第１のユーザに対応するクラウドカードを検索すると、第１のユーザのクラウドカード情報に基づいて、第１のユーザに対応するクラウドカードを更新することによって、第１のユーザの更新後のクラウドカードを取得する。
【００３４】
本発明の実施例において、第１のユーザのユーザ識別子に基づいて第１のユーザに対応するクラウドカードを検索すると、クラウドサーバに第１のユーザに対応するクラウドカードが既に記憶されていることを示し、第１のユーザのクラウドカード情報を再受信したということは、第１のユーザが既存のクラウドカードを更新しようとしていることを示す。
【００３５】
例えば、第１のユーザが既存のクラウドカードにおけるプロファイル写真を更新しようとする場合、クラウドサーバが受信した第１のユーザのクラウドカード情報には、第１のユーザの更新後のプロファイル写真が含まれ、この場合、クラウドサーバは、更新後のプロファイル写真に基づいて、ローカルに記憶されている第１のユーザのクラウドカードにおけるプロファイル写真を更新し、更新後のクラウドカードには、第１のユーザにより更新された最新のプロファイル写真が含まれる。
【００３６】
また、例えば、第１のユーザが既存のクラウドカードにおける携帯電話番号を更新するか、または新しい携帯電話番号を追加しようとする場合、クラウドサーバが受信した第１のユーザのクラウドカード情報には、更新後の携帯電話番号または追加しようとする新しい携帯電話番号が含まれ、この場合、クラウドサーバは、更新後の携帯電話番号または追加しようとする新しい携帯電話番号に基づいて、ローカルに記憶されている第１のユーザのクラウドカードにおける携帯電話番号を更新し、更新後のクラウドカードには、第１のユーザの更新後の携帯電話番号または追加しようとする新しい携帯電話番号が含まれる。
【００３７】
ステップ１３０において、第１のユーザの更新後のクラウドカードを第２のユーザに送信して、第１のユーザと第２のユーザが互いに通信する際に、第２のユーザが第１のユーザの更新後のクラウドカードに基づいて第１のユーザを識別し、第１のユーザの更新後のクラウドカードを表示するようにする。ここで、第２のユーザは、第１のユーザのユーザ識別子を記憶しているユーザであってもよい。
【００３８】
本発明の実施例において、第２のユーザは、第１のユーザのユーザ識別子を記憶しているユーザであってもよい。例えば、第１のユーザは、第１のユーザの連絡者であり、第２のユーザの連絡先にいるユーザである。ここで、第１のユーザが第１のユーザのクラウドカードを作成すると、クラウドサーバは、第１のユーザのクラウドカードを第２のユーザに対応する第２の端末に送信し、第２のユーザの連絡先に記憶する。第１のユーザが自分のクラウドカードを更新しようとする場合、クラウドサーバは、第１のユーザの更新後のクラウドカード情報に基づいて更新して、更新後のクラウドカードを取得し、それとともに、第２のユーザの連絡先における第１のユーザのクラウドカードは、クラウドサーバを通じて自動に更新される。
【００３９】
例えば、第１のユーザがユーザＡであり、第２のユーザがユーザＢであり、ユーザＡが更新後の携帯電話番号または追加した新しい携帯電話番号でユーザＢを呼び出す場合、ユーザＢが使用する第２の端末は、電話着信画面にユーザＡの最新のクラウドカードを表示する。または、ユーザＡが更新後の携帯電話番号または追加した新しい携帯電話番号でユーザＢにショットメッセージを送信する場合、ユーザＢが使用する第２の端末は、ショットメッセージ画面にユーザＡの最新のクラウドカードを表示する。
【００４０】
上記実施例から分かるように、クラウドサーバは、第１のユーザのクラウドカード情報を受信した後、当該クラウドカード情報に基づいて、第１のユーザに対応するクラウドカードを自動に更新することができ、更新後のクラウドカードを第２のユーザに送信して、第２のユーザが第１のユーザのクラウドカードを自動に更新するようにし、第１のユーザと第２のユーザが通信する際に、第２のユーザが第１のユーザを自動に識別できるようにすることによって、第２のユーザが第１のユーザを識別する速度と正確度を向上させ、第２のユーザのユーザ体験も向上させる。
【００４１】
図２に示されるように、図２は、本発明の１つの例示的な実施例に係る別のクラウドカードに基づく電話呼び出し方法のフローチャートであり、当該方法は、クラウドサーバに適用可能であり、図１を基礎として、下記のステップを含む。
【００４２】
ステップ２１０において、第１のユーザのユーザ識別子が含まれ、且つ第１のユーザに対応するクラウドカードに含まれる各情報とバージョンナンバーを含む第１のユーザのクラウドカード情報を受信する。
【００４３】
ステップ２２０において、受信したバージョンナンバーとローカルに記憶されている第１のユーザに対応するクラウドカードのバージョンナンバーを比較して比較結果を得る。
【００４４】
例えば、第１のユーザは、ユーザＡであり、クラウドサーバに記憶されているユーザＡのクラウドカードには、ユーザＡの名前、携帯電話番号１、及びプロファイル写真１などが含まれ、バージョンナンバーは、１である。ユーザＡが携帯電話番号１を携帯電話番号２に更新し、プロファイル写真１をプロファイル写真２に更新しようとする場合、クラウドサーバが受信した第１のユーザのクラウドカード情報には、ユーザＡの名前、携帯電話番号２、プロファイル写真２が含まれ、バージョンナンバーは、２である。クラウドサーバは、受信したバージョンナンバー２とバージョンナンバー１を比較し、バージョンナンバー２に対応するクラウドカードがバージョンナンバー１に対応するクラウドカードの更新バージョンである、という比較結果を得る。
【００４５】
ステップ２３０において、受信したクラウドカード情報がローカルに記憶されている第１のユーザに対応するクラウドカードの更新バージョンであることを比較結果が示す場合、受信したクラウドカード情報を用いて、ローカルに記憶されている第１のユーザに対応するクラウドカードを更新することによって、第１のユーザの更新後のクラウドカードを得る。
【００４６】
また、受信したクラウドカード情報が、検索した第１のユーザに対応するクラウドカードの更新バージョンではないことを比較結果が示す場合、更新する必要がない。
【００４７】
上記実施例から分かるように、クラウドサーバは、第１のユーザのクラウドカード情報を受信した後、第１のユーザに対応するクラウドカードに含まれる各情報とバージョンナンバーを当該クラウドカード情報が含む場合、バージョンナンバーに基づいて、記憶されている第１のユーザのクラウドカードの更新要否を直接確定することができ、更新を確定すると、受信したクラウドカード情報で既に記憶されている第１のユーザのクラウドカードを直接代えることによって、クラウドサーバの更新速度も比較的速くすることができる。
【００４８】
図３に示されるように、図３は、本発明の１つの例示的な実施例に係る別のクラウドカードに基づく電話呼び出し方法のフローチャートであり、当該方法は、クラウドサーバに適用可能であり、図１を基礎として、下記のステップを含む。
【００４９】
ステップ３１０において、第１のユーザのユーザ識別子が含まれている第１のユーザのクラウドカード情報を受信する。
【００５０】
本発明の実施例において、クラウドカード情報は、第１のユーザが初めて作成したクラウドカードにおける情報であってもよく、第１のユーザがクラウドカード情報をアップロードした後、クラウドサーバは、当該クラウドカード情報に基づいて第１のユーザのクラウドカードを作成することができる。例えば、第１のユーザは、ユーザＡであり、ユーザＡのクラウドカードには、ユーザＡの名前、携帯電話番号、及びプロファイル写真などが含まれる。
【００５１】
ステップ３２０において、第１のユーザのユーザ識別子に基づいて第１のユーザに対応するクラウドカードを検索できなかった場合、第１のユーザのクラウドカード情報に基づいて第１のユーザに対応するクラウドカードを作成することによって、第１のユーザが作成したクラウドカードを取得する。
【００５２】
本発明の実施例において、第１のユーザのユーザ識別子に基づいて第１のユーザに対応するクラウドカードを検索できなかった場合、クラウドサーバに第１のユーザに対応するクラウドカードがまだ作成されていないことを示し、受信した第１のユーザのクラウドカード情報に基づいて、第１のユーザに対応するクラウドカードを作成することができる。
【００５３】
ステップ３３０において、第１のユーザが作成したクラウドカードを第２のユーザに送信することによって、第１のユーザと第２のユーザが互いに通信する際に、第２のユーザが第１のユーザにより作成されたクラウドカードに基づいて第１のユーザを識別し、第１のユーザが作成したクラウドカードを表示するようにする。ここで、第２のユーザは、第１のユーザのユーザ識別子を記憶しているユーザである。
【００５４】
本発明の実施例において、第２のユーザは、第１のユーザのユーザ識別子を記憶しているユーザであってもよい。例えば、第１のユーザは、第１のユーザの連絡者であり、第２のユーザの連絡先にいるユーザである。ここで、第１のユーザが第１のユーザのクラウドカードを作成すると、クラウドサーバは、第１のユーザのクラウドカードを第２のユーザに対応する第２の端末に送信し、第２のユーザの連絡先に記憶し、第１のユーザと第２のユーザが互いに通信する際に、第２の端末に第１のユーザにより作成されたクラウドカードを表示して、第２のユーザが第１のユーザにより作成されたクラウドカードに基づいて第１のユーザを識別するようにする。
【００５５】
上記実施例から分かるように、クラウドサーバは、第１のユーザのクラウドカード情報を受信した後、自分が第１のユーザのクラウドカードを作成しなかった場合、受信した情報に基づいて第１のユーザのクラウドカードを作成し、作成したクラウドカードを第２のユーザに送信して、第２のユーザが第１のユーザのクラウドカードを記憶するようにし、第１のユーザと第２のユーザが通信する際に、第２のユーザが第１のユーザを自動に識別できるようにすることによって、第２のユーザが第１のユーザを識別する速度と正確度を向上させ、第２のユーザのユーザ体験も向上させる。
【００５６】
また、上記図１から図４に示されるクラウドカードに基づく電話呼び出し方法において、第１のユーザと第２のユーザが互いに通信する際に、下記の通信方式のうちの少なくとも１つを含むことができる。
【００５７】
方式１：第１のユーザは、更新後の電話番号を用いて、第２のユーザを呼び出す。
【００５８】
方式２：第１のユーザは、更新後の電話番号を用いて、第２のユーザにショットメッセージを送信する。
【００５９】
方式３：第１のユーザは、更新後のＥメールアドレスを用いて、第２のユーザにＥメールを送信する。
【００６０】
ここで、更新後の電話番号、更新後のＥメールアドレスは、第１のユーザの名刺情報に含まれてもよい。
【００６１】
図４に示されるように、図４は、本発明の１つの例示的な実施例に係る別のクラウドカードに基づく電話呼び出し方法のフローチャートであり、当該方法は、第２の端末に適用可能であり、第２の端末は、第２のユーザが使用する端末であり、下記のステップを含む。
【００６２】
ステップ４１０において、クラウドサーバから送信された第１のユーザの更新後のクラウドカードを受信する。
【００６３】
本発明の実施例において、第１のユーザは、第２のユーザの連絡者であり、第２のユーザの連絡先にいるユーザであってもよい。第１のユーザが自分のクラウドカードを更新しようとする場合、クラウドサーバは、第１のユーザの更新後のクラウドカード情報に基づいて更新して、更新後のクラウドカードを取得し、それとともに、第２のユーザの連絡先における第１のユーザのクラウドカードは、クラウドサーバを通じて自動に更新される。
【００６４】
ステップ４２０において、第１のユーザの更新後のクラウドカードに基づいて、ローカルに記憶されている第１のユーザに対応するクラウドカードを更新する。
【００６５】
ステップ４３０において、第１のユーザと第２のユーザが互いに通信する際に、第１のユーザの更新後のクラウドカードに基づいて第１のユーザを識別し、第１のユーザの更新後のクラウドカードを表示する。ここで、第２のユーザは、第１のユーザのユーザ識別子を記憶しているユーザである。
【００６６】
例えば、第１のユーザは、ユーザＡであり、第２のユーザは、ユーザＢであり、ユーザＡが更新後の携帯電話番号または追加した新しい携帯電話番号でユーザＢを呼び出す場合、ユーザＢが使用する第２の端末は、電話着信画面にユーザＡの最新のクラウドカードを表示する。または、ユーザＡが更新後の携帯電話番号または追加した新しい携帯電話番号でユーザＢにショットメッセージを送信する場合、ユーザＢが使用する第２の端末は、ショットメッセージ画面にユーザＡの最新のクラウドカードを表示することによって、第２のユーザがより速く第１のユーザを識別するようにし、第２のユーザのユーザ体験を向上させる。
【００６７】
上記実施例から分かるように、第２の端末は、クラウドサーバから送信された第１のユーザの更新後のクラウドカードを受信すると、第１のユーザの更新後のクラウドカードに基づいて、ローカルに記憶されている第１のユーザに対応するクラウドカードを自動に更新し、第１のユーザと第２のユーザが互いに通信する際に、第１のユーザの更新後のクラウドカードに基づいて第１のユーザを識別し、第１のユーザの更新後のクラウドカードを表示して、第２のユーザが第１のユーザの更新後のクラウドカードに基づいて第１のユーザを自動に識別できるようにすることによって、第２のユーザが第１のユーザを識別する速度と正確度を向上させ、第２のユーザのユーザ体験も向上させる。ここで、第１のユーザは、第２の端末に対応する第２のユーザの連絡者である。
【００６８】
図５に示されるように、図５は、本発明の１つの例示的な実施例に係る別のクラウドカードに基づく電話呼び出し方法のフローチャートであり、当該方法は、第２の端末に適用可能であり、第２の端末は、第２のユーザが使用する端末であり、図４を基礎として、下記のステップを含む。
【００６９】
ステップ５１０において、クラウドサーバから送信された第１のユーザが作成したクラウドカードを受信する。
【００７０】
本発明の実施例において、第１のユーザは、第２のユーザの連絡者であり、第２のユーザの連絡先にいるユーザであってもよい。第１のユーザが第１のユーザのクラウドカードを作成すると、クラウドサーバは、第１のユーザのクラウドカードを第２のユーザに対応する第２の端末に送信し、第２のユーザの連絡先に記憶する。
【００７１】
ステップ５２０において、第１のユーザが作成したクラウドカードをローカルの連絡先に記憶する。
【００７２】
ステップ５３０において、第１のユーザと第２のユーザが互いに通信する際に、第１のユーザが作成したクラウドカードに基づいて第１のユーザを識別し、第１のユーザが作成したクラウドカードを表示する。
【００７３】
上記実施例から分かるように、第２の端末は、クラウドサーバから送信された第１のユーザが作成したクラウドカードを受信すると、第１のユーザが作成したクラウドカードをローカルの連絡先に自動に記憶し、第１のユーザと第２のユーザが互いに通信する際に、第１のユーザが作成したクラウドカードに基づいて第１のユーザを識別し、第１のユーザが作成したクラウドカードを表示して、第２のユーザが第１のユーザにより作成されたクラウドカードに基づいて第１のユーザを自動に識別できるようにすることによって、第２のユーザが第１のユーザを識別する速度と正確度を向上させ、第２のユーザのユーザ体験も向上させる。
【００７４】
図６に示されるように、図６は、本発明の１つの例示的な実施例に係るクラウドカードに基づく電話呼び出し方法の応用場面の図である。当該応用場面は、クラウドサーバ、第１の端末、及び第２の端末を含む。ここで、第１のユーザは、第１の端末を使用し、第２のユーザは、第２の端末を使用する。
【００７５】
第１の端末は、自分に対応する第１のユーザのクラウドカード情報を受信し、クラウドカード情報をクラウドサーバに送信する。クラウドカード情報には、第１のユーザのユーザ識別子が含まれている。クラウドサーバは、第１のユーザのユーザ識別子に基づいて第１のユーザに対応するクラウドカードを検索すると、第１のユーザのクラウドカード情報に基づいて、第１のユーザに対応するクラウドカードを更新することによって、第１のユーザの更新後のクラウドカードを取得し、第１のユーザの更新後のクラウドカードを第２のユーザに対応する第２の端末に送信する。
【００７６】
第２のユーザは、第１のユーザのユーザ識別子を記憶しているユーザである。第２の端末は、第１のユーザの更新後のクラウドカードに基づいて、ローカルに記憶されている第１のユーザに対応するクラウドカードを更新し、第１のユーザと第２のユーザが互いに通信する際に、第２の端末は、第１のユーザの更新後のクラウドカードに基づいて第１のユーザを識別し、第１のユーザの更新後のクラウドカードを表示することによって、第２のユーザが第１のユーザの更新後のクラウドカードに基づいて第１のユーザを識別するようにする。従って、第２のユーザが第１のユーザの更新後のクラウドカードに基づいてより速く第１のユーザを識別できるようにし、第２のユーザのユーザ体験を向上させる。
【００７７】
上記クラウドカードに基づく電話呼び出し方法の実施例に応じて、本発明は、クラウドカードに基づく電話呼び出し装置の実施例をさらに提供する。
【００７８】
図７に示されるように、図７は、本発明の１つの例示的な実施例に係るクラウドカードに基づく電話呼び出し装置のブロック図であり、上記装置は、クラウドサーバに適用され、図１に示されるクラウドカードに基づく電話呼び出し方法を実行し、上記装置は、受信モジュール７１、更新モジュール７２、及び第１の送信モジュール７３を含む。
【００７９】
ここで、受信モジュール７１は、第１のユーザのユーザ識別子が含まれている第１のユーザのクラウドカード情報を受信するためのものである。
【００８０】
更新モジュール７２は、上記第１のユーザのユーザ識別子に基づいて上記第１のユーザに対応するクラウドカードを検索すると、上記第１のユーザのクラウドカード情報に基づいて、上記第１のユーザに対応するクラウドカードを更新することによって、上記第１のユーザの更新後のクラウドカードを取得するためのものである。
【００８１】
第１の送信モジュール７３は、上記第１のユーザの更新後のクラウドカードを第２のユーザに送信して、上記第１のユーザと上記第２のユーザが互いに通信する際に、上記第２のユーザが上記第１のユーザの更新後のクラウドカードに基づいて上記第１のユーザを識別し、上記第１のユーザの更新後のクラウドカードを表示するようにするためのものである。上記第２のユーザは、上記第１のユーザのユーザ識別子を記憶しているユーザである。
【００８２】
上記実施例から分かるように、クラウドサーバは、第１のユーザのクラウドカード情報を受信した後、当該クラウドカード情報に基づいて、第１のユーザに対応するクラウドカードを自動に更新することができ、更新後のクラウドカードを第２のユーザに送信して、第２のユーザが第１のユーザのクラウドカードを自動に更新するようにし、第１のユーザと第２のユーザが通信する際に、第２のユーザが第１のユーザを自動に識別できるようにすることによって、第２のユーザが第１のユーザを識別する速度と正確度を向上させ、第２のユーザのユーザ体験も向上させる。
【００８３】
図８に示されるように、図８は、本発明の１つの例示的な実施例に係る別のクラウドカードに基づく電話呼び出し装置のブロック図であり、上記装置は、クラウドサーバに適用され、当該実施例は、上記図７に示される実施例を基礎として、図２に示されるクラウドカードに基づく電話呼び出し方法を実行し、第１のユーザのクラウドカード情報には、上記第１のユーザに対応するクラウドカードに含まれる各情報とバージョンナンバーが含まれる。上記更新モジュール７２は、比較サブモジュール８１と、更新サブモジュール８２を含んでもよい。
【００８４】
ここで、比較サブモジュール８１は、受信したバージョンナンバーとローカルに記憶されている上記第１のユーザに対応するクラウドカードのバージョンナンバーを比較して、比較結果を得るためのものである。
【００８５】
更新サブモジュール８２は、受信したクラウドカード情報が、ローカルに記憶されている上記第１のユーザに対応するクラウドカードの更新バージョンであることを上記比較結果が示す場合、受信したクラウドカード情報を用いて、ローカルに記憶されている上記第１のユーザに対応するクラウドカードを更新することによって、上記第１のユーザの更新後のクラウドカードを得るためのものである。
【００８６】
上記実施例から分かるように、クラウドサーバは、第１のユーザのクラウドカード情報を受信した後、第１のユーザに対応するクラウドカードに含まれる各情報とバージョンナンバーを当該クラウドカード情報が含む場合、バージョンナンバーに基づいて、記憶されている第１のユーザのクラウドカードの更新要否を直接確定することができ、更新を確定すると、受信したクラウドカード情報で既に記憶されている第１のユーザのクラウドカードを直接代えることによって、クラウドサーバの更新速度も比較的速くすることができる。
【００８７】
図９に示されるように、図９は、本発明の１つの例示的な実施例に係る別のクラウドカードに基づく電話呼び出し装置のブロック図であり、上記装置は、クラウドサーバに適用され、当該実施例は、上記図７に示される実施例を基礎として、図３に示されるクラウドカードに基づく電話呼び出し方法を実行し、上記装置は、作成モジュール９１と第２の送信モジュール９２をさらに含んでもよい。
【００８８】
ここで、作成モジュール９１は、上記第１のユーザのユーザ識別子に基づいて上記第１のユーザに対応するクラウドカードを検索できなかった場合、上記第１のユーザのクラウドカード情報に基づいて上記第１のユーザに対応するクラウドカードを作成することによって、上記第１のユーザが作成したクラウドカードを取得するためのものである。
【００８９】
第２の送信モジュール９２は、上記第１のユーザが作成したクラウドカードを第２のユーザに対応する第２の端末に送信することによって、上記第１のユーザと上記第２のユーザが互いに通信する際に、上記第２のユーザが上記第１のユーザにより作成されたクラウドカードに基づいて上記第１のユーザを識別し、上記第１のユーザが作成したクラウドカードを表示するようにするためのものである。上記第２のユーザは、上記第１のユーザのユーザ識別子を記憶しているユーザである。
【００９０】
上記実施例から分かるように、クラウドサーバは、第１のユーザのクラウドカード情報を受信した後、自分が第１のユーザのクラウドカードを作成しなかった場合、受信した情報に基づいて第１のユーザのクラウドカードを作成し、作成したクラウドカードを第２のユーザに送信して、第２のユーザが第１のユーザのクラウドカードを記憶するようにし、第１のユーザと第２のユーザが通信する際に、第２のユーザが第１のユーザを自動に識別できるようにすることによって、第２のユーザが第１のユーザを識別する速度と正確度を向上させ、第２のユーザのユーザ体験も向上させる。
【００９１】
また、上記実施例において、第１のユーザと第２のユーザが互いに通信する際に、第１のユーザが更新後の電話番号を用いて第２のユーザを呼び出す通信方式、第１のユーザが更新後の電話番号を用いて第２のユーザにショットメッセージを送信する通信方式、第１のユーザが更新後のＥメールアドレスを用いて第２のユーザにＥメールを送信する通信方式のうちの少なくとも１つを含むことができる。ここで、更新後の電話番号、及び更新後のＥメールアドレスは、第１のユーザの名刺情報に含まれてもよい。
【００９２】
図１０に示されるように、図１０は、本発明の１つの例示的な実施例に係る別のクラウドカードに基づく電話呼び出し装置のブロック図であり、上記装置は、第２のユーザが使用する第２の端末に適用され、図４に示されるクラウドカードに基づく電話呼び出し方法を実行し、上記装置は、第１の受信モジュール１０１、更新モジュール１０２、及び第１の表示モジュール１０３を含んでもよい。
【００９３】
ここで、第１の受信モジュール１０１は、クラウドサーバから送信された第１のユーザの更新後のクラウドカードを受信するためのものである。
【００９４】
更新モジュール１０２は、上記第１のユーザの更新後のクラウドカードに基づいて、ローカルに記憶されている上記第１のユーザに対応するクラウドカードを更新するためのものである。
【００９５】
第１の表示モジュール１０３は、上記第１のユーザと第２のユーザが互いに通信する際に、上記第１のユーザの更新後のクラウドカードに基づいて上記第１のユーザを識別し、上記第１のユーザの更新後のクラウドカードを表示するためのものである。上記第２のユーザは、上記第１のユーザのユーザ識別子を記憶しているユーザである。
【００９６】
上記実施例から分かるように、第２の端末は、クラウドサーバから送信された第１のユーザの更新後のクラウドカードを受信すると、第１のユーザの更新後のクラウドカードに基づいて、ローカルに記憶されている第１のユーザに対応するクラウドカードを自動に更新し、第１のユーザと第２のユーザが互いに通信する際に、第１のユーザの更新後のクラウドカードに基づいて第１のユーザを識別し、第１のユーザの更新後のクラウドカードを表示して、第２のユーザが第１のユーザの更新後のクラウドカードに基づいて第１のユーザを自動に識別できるようにすることによって、第２のユーザが第１のユーザを識別する速度と正確度を向上させ、第２のユーザのユーザ体験も向上させる。ここで、第１のユーザは、第２の端末に対応する第２のユーザの連絡者である。
【００９７】
図１１に示されるように、図１１は、本発明の１つの例示的な実施例に係る別のクラウドカードに基づく電話呼び出し装置のブロック図であり、上記装置は、第２のユーザが使用する第２の端末に適用され、図５に示されるクラウドカードに基づく電話呼び出し方法を実行し、上記装置は、第２の受信モジュール１１１、記憶モジュール１１２、及び第２の表示モジュール１１３をさらに含んでもよい。
【００９８】
ここで、第２の受信モジュール１１１は、上記クラウドサーバから送信された上記第１のユーザが作成したクラウドカードを受信するためのものである。
【００９９】
記憶モジュール１１２は、上記第１のユーザが作成したクラウドカードをローカルの連絡先に記憶するためのものである。
【０１００】
第２の表示モジュール１１３は、上記第１のユーザと上記第２の端末に対応する第２のユーザが互いに通信する際に、上記第１のユーザの更新後のクラウドカードを表示することによって、上記第２のユーザが上記第１のユーザの更新後のクラウドカードに基づいて上記第１のユーザを識別するようにするためのものである。
【０１０１】
上記実施例から分かるように、第２の端末は、クラウドサーバから送信された第１のユーザが作成したクラウドカードを受信すると、第１のユーザが作成したクラウドカードをローカルの連絡先に自動に記憶し、第１のユーザと第２のユーザが互いに通信する際に、第１のユーザが作成したクラウドカードに基づいて第１のユーザを識別し、第１のユーザが作成したクラウドカードを表示して、第２のユーザが第１のユーザにより作成されたクラウドカードに基づいて第１のユーザを自動に識別できるようにすることによって、第２のユーザが第１のユーザを識別する速度と正確度を向上させ、第２のユーザのユーザ体験も向上させる。
【０１０２】
図７に応じて、本発明は、別のクラウドカードに基づく電話呼び出し装置をさらに提供し、上記装置は、クラウドサーバに適用され、
プロセッサと、
上記プロセッサにより実行可能な命令を記憶するためのメモリと、を含み、
上記プロセッサは、
第１のユーザのユーザ識別子が含まれている第１のユーザのクラウドカード情報を受信し、
上記第１のユーザのユーザ識別子に基づいて上記第１のユーザに対応するクラウドカードを検索すると、上記第１のユーザのクラウドカード情報に基づいて、上記第１のユーザに対応するクラウドカードを更新することによって、上記第１のユーザの更新後のクラウドカードを取得し、
上記第１のユーザの更新後のクラウドカードを第２のユーザに送信して、上記第１のユーザと上記第２のユーザが互いに通信する際に、上記第２のユーザが上記第１のユーザの更新後のクラウドカードに基づいて上記第１のユーザを識別し、上記第１のユーザの更新後のクラウドカードを表示するように構成され、
上記第２のユーザは、上記第１のユーザのユーザ識別子を記憶しているユーザである。
【０１０３】
図１０に応じて、本発明は、別のクラウドカードに基づく電話呼び出し装置をさらに提供し、上記装置は、第２の端末に適用され、
プロセッサと、
上記プロセッサにより実行可能な命令を記憶するためのメモリと、を含み、
上記プロセッサは、
クラウドサーバから送信された第１のユーザの更新後のクラウドカードを受信し、
上記第１のユーザの更新後のクラウドカードに基づいて、ローカルに記憶されている上記第１のユーザに対応するクラウドカードを更新し、
上記第１のユーザと上記第２の端末に対応する第２のユーザが互いに通信する際に、上記第１のユーザの更新後のクラウドカードに基づいて上記第１のユーザを識別し、上記第１のユーザの更新後のクラウドカードを表示するように構成され、
上記第２のユーザは、上記第１のユーザのユーザ識別子を記憶しているユーザである。
【０１０４】
上記装置において、各モジュールの機能と作用の実現過程の細部は、上記方法における対応するステップの実現過程を参照すればよく、ここでは説明しない。
【０１０５】
装置の実施例において、基本的に方法実施例に対応するため、関連する部分については、方法実施例の部分説明を参照すればよい。以上で記述した装置実施例は、ただ例示的なものであり、そのうち、分離部品として説明された上記モジュールは、物理的に分離されているものであってもよく、そうではなくてもよく、モジュールとして示される部品は、物理的なモジュールであってもよく、そうではなくてもよい。即ち、同一の場所に位置していてもよく、または複数のネットワークモジュールに分布されていてもよい。実際の必要によって、そのうちの一部又は全部のモジュールを選択して本発明の技術案の目的を実現することができる。当業者は、創造性の労働を行わなくても、理解及び実施することができる。
【０１０６】
図１２に示されるように、図１２は、１つの例示的な実施例に係るクラウドカードに基づく電話呼び出し装置１９００に用いられる構成模式図（クラウドサーバ側）であり、例えば、装置１９００は、１つまたは１つ以上のプロセッサを含むプロセスアセンブリ１９２２と、プロセスアセンブリ１９２２により実行可能な命令、例えばアプリケーションプログラムを記憶するためのメモリ１９３２を代表とするメモリ資源と、を含む。メモリ１９３２に記憶されているアプリケーションプログラムは、それぞれが一組の命令に対応する１つまたは１つ以上のモジュールを含んでもよい。また、プロセスアセンブリ１９２２は、命令を実行するように構成される。
【０１０７】
装置１９００は、装置１９００の電源を管理するように構成される電源アセンブリ１９２６と、装置１９００をネットワークに接続するように構成される１つの有線又は無線ネットワークインタフェース１９５０と、１つの入出力（Ｉ／Ｏ）インタフェース１９５８とをさらに含む。装置１９００は、メモリ１９３２に記憶されているＯＳ、例えば、Ｗｉｎｄｏｗｓ（登録商標） Ｓｅｒｖｅｒ、Ｍａｃ ＯＳ Ｘ（登録商標）、Ｕｎｉｘ（登録商標）、Ｌｉｎｕｘ（登録商標）、ＦｒｅｅＢＳＤ（登録商標）などあるいは類似するシステムに基づいて動作することができる。
【０１０８】
図１３に示されるように、図１３は、本発明の１つの例示的な実施例に係るクラウドカードに基づく電話呼び出し装置１３００の別の構成模式図（端末装置側）である。例えば、装置１３００は、ルータ機能を有する携帯電話、コンピュータ、デジタル放送端末、メッセージ送受信装置、ゲームコンソール、タブレット装置、医療設備、フィットネス装置、ＰＤＡなどである。
【０１０９】
図１３を参照すると、装置１３００は、プロセスアセンブリ１３０２、メモリ１３０４、電源アセンブリ１３０６、マルチメディアアセンブリ１３０８、オーディオアセンブリ１３１０、入出力（Ｉ／Ｏ）インタフェース１３１２、センサアセンブリ１３１３、及び通信アセンブリ１３１６のような１つ或いは複数のアセンブリを含んでもよい。
【０１１０】
プロセスアセンブリ１３０２は、一般的には装置１３００の全体の動作を制御するものであり、例えば、表示、電話呼び出し、データ通信、カメラ操作、及び記録操作と関連する操作を制御する。プロセスアセンブリ１３０２は、１つ以上のプロセッサ１３２０を含み、これらによって命令を実行することにより、上記の方法の全部、或は一部のステップを実現するようにしてもよい。なお、プロセスアセンブリ１３０２は、１つ以上のモジュールを含んでプロセスアセンブリ１３０２と他のアセンブリの間のインタラクションを容易にしてもよい。例えば、プロセスアセンブリ１３０２は、マルチメディアモジュールを含んでマルチメディアアセンブリ１３０８とプロセスアセンブリ１３０２の間のインタラクションを容易にしてもよい。
【０１１１】
メモリ１３０４は、各種類のデータを記憶することにより装置１３００の動作を支援するように構成される。これらのデータの例は、装置１３００において操作されるいずれのアプリケーションプログラム又は方法の命令、連絡対象データ、電話帳データ、メッセージ、画像、ビデオ等を含む。メモリ１３０４は、いずれかの種類の揮発性メモリ、不揮発性メモリ記憶デバイスまたはそれらの組み合わせによって実現されてもよく、例えば、ＳＲＡＭ（Ｓｔａｔｉｃ Ｒａｎｄｏｍ Ａｃｃｅｓｓ Ｍｅｍｏｒｙ）、ＥＥＰＲＯＭ（Ｅｌｅｃｔｒｉｃａｌｌｙ Ｅｒａｓａｂｌｅ Ｐｒｏｇｒａｍｍａｂｌｅ Ｒｅａｄ−Ｏｎｌｙ Ｍｅｍｏｒｙ）、ＥＰＲＯＭ（Ｅｒａｓａｂｌｅ Ｐｒｏｇｒａｍｍａｂｌｅ Ｒｅａｄ Ｏｎｌｙ Ｍｅｍｏｒｙ）、ＰＲＯＭ（Ｐｒｏｇｒａｍｍａｂｌｅ ＲＯＭ）、ＲＯＭ（Ｒｅａｄ Ｏｎｌｙ  Ｍｅｍｏｒｙ）、磁気メモリ、フラッシュメモリ、磁気ディスク、或いは光ディスクである。
【０１１２】
電源アセンブリ１３０６は、装置１３００の各アセンブリに電力を供給する。電源アセンブリ１３０６は、電源管理システム、１つ或いは複数の電源、及び装置１３００のための電力の生成、管理、及び割り当てに関連する他のアセンブリを含んでもよい。
【０１１３】
マルチメディアアセンブリ１３０８は、上記装置１３００とユーザの間に１つの出力インタフェースを提供するスクリーンを含む。部分実施例において、スクリーンは、液晶モニター（ＬＣＤ）とタッチパネル（ＴＰ）を含んでもよい。スクリーンがタッチパネルを含むことにより、スクリーンはタッチスクリーンを実現することができ、ユーザからの入力信号を受信することができる。タッチパネルは、１つ以上のタッチセンサを含み、タッチ、スライド、及びタッチパネル上のジェスチャを検出することができる。
【０１１４】
上記タッチセンサは、タッチ、或はスライド動作の境界だけでなく、上記タッチ、或はスライド操作に係る継続時間、及び圧力も検出できる。部分実施例において、マルチメディアアセンブリ１３０８は、１つのフロントカメラ、及び／又はリアカメラを含む。装置１３００が、例えば撮影モード、或はビデオモード等の操作モードにある場合、フロントカメラ、及び／又はリアカメラは外部からマルチメディアデータを受信できる。フロントカメラとリアカメラのそれぞれは、１つの固定型の光レンズ系、或は可変焦点距離と光学ズーム機能を有するものであってもよい。
【０１１５】
オーディオアセンブリ１３１０は、オーディオ信号を入出力するように構成される。例えば、オーディオアセンブリ１３１０は、１つのマイク（ＭＩＣ）を含み、装置１３００が、例えば呼出しモード、記録モード、及び音声認識モード等の操作モードにある場合、マイクは外部のオーディオ信号を受信することができる。受信されたオーディオ信号は、さらにメモリ１３０４に記憶されたり、通信アセンブリ１３１６を介して送信されたりする。部分実施例において、オーディオアセンブリ１３１０は、オーディオ信号を出力するための１つのスピーカーをさらに含む。
【０１１６】
Ｉ／Ｏインタフェース１３１２は、プロセスアセンブリ１３０２と周辺インタフェースモジュールの間にインタフェースを提供するものであり、上記周辺インタフェースモジュールは、キーボード、クリックホイール、ボタン等であってもよい。これらのボタンは、ホームボタン、ボリュームボタン、起動ボタン、ロッキングボタンを含んでもよいが、これらに限定されない。
【０１１７】
センサアセンブリ１３１３は、装置１３００に各方面の状態に対する評価を提供するための１つ以上のセンサを含む。例えば、センサアセンブリ１３１３は、装置１３００のＯＮ／ＯＦＦ状態、装置１３００のディスプレイとキーパッドのようなアセンブリの相対的な位置決めを検出できる。また、センサアセンブリ１３１３は、装置１３００、或いは装置１３００の１つのアセンブリの位置変更、ユーザと装置１３００とが接触しているか否か、装置１３００の方位、又は加速／減速、装置１３００の温度の変化を検出できる。
【０１１８】
センサアセンブリ１３１３は、何れの物理的接触がない状態にて付近の物体の存在を検出するための近接センサを含んでもよい。センサアセンブリ１３１３は、撮影アプリケーションに適用するため、ＣＭＯＳ、又はＣＣＤ画像センサのような光センサを含んでもよい。部分実施例において、当該センサアセンブリ１３１３は、加速度センサ、ジャイロスコープセンサ、磁気センサ、圧力センサ、及び温度センサをさらに含んでもよい。
【０１１９】
通信アセンブリ１３１６は、装置１３００と他の機器の間に有線、又は無線形態の通信を提供する。装置１３００は、例えばＷｉＦｉ（登録商標）、２Ｇ、３Ｇ、或はこれらの組み合わせのような、通信規格に基づいた無線ネットワークに接続されてもよい。１つの例示的な実施例において、通信アセンブリ１３１６は、放送チャンネルを介して外部の放送管理システムからの放送信号、又は放送に関連する情報を受信する。
【０１２０】
１つの例示的な実施例において、上記通信アセンブリ１３１６は、近距離無線通信（ＮＦＣ）モジュールをさらに含むことにより、近距離通信をプッシュする。例えば、ＮＦＣモジュールは、ＲＦＩＤ（Ｒａｄｉｏ Ｆｒｅｑｕｅｎｃｙ ＩＤｅｎｔｉｆｉｃａｔｉｏｎ）技術、ＩｒＤＡ（Ｉｎｆｒａｒｅｄ Ｄａｔａ Ａｓｓｏｃｉａｔｉｏｎ）技術、ＵＷＢ（Ｕｌｔｒａ Ｗｉｄｅ Ｂａｎｄ）技術、ＢＴ（Ｂｌｕｅｔｏｏｔｈ（登録商標））技術、及び他の技術に基づいて実現できる。
【０１２１】
例示的な実施例において、装置１３００は、１つ以上のＡＳＩＣ（Ａｐｐｌｉｃａｔｉｏｎ Ｓｐｅｃｉｆｉｃ Ｉｎｔｅｇｒａｔｅｄ Ｃｉｒｃｕｉｔ）、ＤＳＰ（Ｄｉｇｉｔａｌ Ｓｉｇｎａｌ Ｐｒｏｃｅｓｓｏｒ）、ＤＳＰＤ（Ｄｉｇｉｔａｌ Ｓｉｇｎａｌ Ｐｒｏｃｅｓｓｉｎｇ Ｄｅｖｉｃｅ）、ＰＬＤ（Ｐｒｏｇｒａｍｍａｂｌｅ Ｌｏｇｉｃ Ｄｅｖｉｃｅ）、ＦＰＧＡ（Ｆｉｅｌｄ−Ｐｒｏｇｒａｍｍａｂｌｅ Ｇａｔｅ Ａｒｒａｙ）、コントローラ、マイクロコントローラ、マイクロプロセッサ、または他の電子部品によって実現されるものであり、上記方法を実行する。
【０１２２】
例示的な実施例において、命令を含むコンピュータ読取り可能な非一時的な記録媒体、例えば命令を含むメモリ１３０４をさらに提供し、装置１３００のプロセッサ１３２０により上記命令を実行して上記方法を実現する。例えば、上記コンピュータ読取り可能な非一時的な記録媒体は、ＲＯＭ、ＲＡＭ、ＣＤ（登録商標）−ＲＯＭ、磁気テープ、フロッピー（登録商標）ディスク、光データ記憶デバイス等である。
【０１２３】
当業者は、明細書に対する理解、及び明細書に記載された発明に対する実施を通じて、本発明の他の実施形態を容易に得ることができる。本発明は、本発明に対する任意の変形、用途、または適応的な変化を含み、このような変形、用途、または適応的な変化は、本発明の一般的な原理に従い、本発明では開示していない本技術分野の公知の知識、または通常の技術手段を含む。明細書と実施例は、ただ例示的なものであって、本発明の本当の範囲と主旨は、以下の特許請求の範囲によって示される。
【０１２４】
本発明は、上記で記述し、図面で図示した特定の構成に限定されず、その範囲を離脱しない状況で、様様な修正と変更を実現できる。本発明の範囲は、添付される特許請求の範囲のみにより限定される。
【０１２５】
本願は、出願番号がＣＮ２０１５１０２０５３７０．３であって、出願日が２０１５年４月２７日である中国特許出願に基づき優先権を主張し、当該中国特許出願のすべての内容を本願に援用する。
【図１】
2017518008.tif 000003
【図２】
2017518008.tif 000004
【図３】
2017518008.tif 000005
【図４】
2017518008.tif 000006
【図５】
2017518008.tif 000007
【図６】
2017518008.tif 000008
【図７】
2017518008.tif 000009
【図８】
2017518008.tif 000010
【図９】
2017518008.tif 000011
【図１０】
2017518008.tif 000012
【図１１】
2017518008.tif 000013
【図１２】
2017518008.tif 000014
【図１３】
2017518008.tif 000015
【手続補正書】
【提出日】平成28年1月19日(2016.1.19)
【手続補正１】
【補正対象書類名】特許請求の範囲
【補正対象項目名】全文
【補正方法】変更
【補正の内容】
【特許請求の範囲】
【請求項１】
第１のユーザのユーザ識別子が含まれている第１のユーザのクラウドカード情報を受信するステップと、
上記第１のユーザのユーザ識別子に基づいて上記第１のユーザに対応するクラウドカードを検索すると、上記第１のユーザのクラウドカード情報に基づいて、上記第１のユーザに対応するクラウドカードを更新することによって、上記第１のユーザの更新後のクラウドカードを取得するステップと、
上記第１のユーザの更新後のクラウドカードを第２のユーザに送信して、上記第１のユーザと上記第２のユーザが互いに通信する際に、上記第２のユーザが上記第１のユーザの更新後のクラウドカードに基づいて上記第１のユーザを識別し、上記第１のユーザの更新後のクラウドカードを表示するようにするステップと、
を含み、
上記第２のユーザは、上記第１のユーザのユーザ識別子を記憶しているユーザであることを特徴とするクラウドカードに基づく電話呼び出し方法。
【請求項２】
上記第１のユーザのクラウドカード情報は、上記第１のユーザに対応するクラウドカードに含まれる各情報とバージョンナンバーを含み、
上記第１のユーザのクラウドカード情報に基づいて、上記第１のユーザに対応するクラウドカードを更新することによって、上記第１のユーザの更新後のクラウドカードを取得するステップは、
受信したバージョンナンバーとローカルに記憶されている上記第１のユーザに対応するクラウドカードのバージョンナンバーを比較して比較結果を得るステップと、
受信したクラウドカード情報がローカルに記憶されている上記第１のユーザに対応するクラウドカードの更新バージョンであることを上記比較結果が示す場合、受信したクラウドカード情報を用いて、ローカルに記憶されている上記第１のユーザに対応するクラウドカードを更新することによって、上記第１のユーザの更新後のクラウドカードを得るステップと、
を含むことを特徴とする請求項１に記載のクラウドカードに基づく電話呼び出し方法。
【請求項３】
上記方法は、
上記第１のユーザのユーザ識別子に基づいて上記第１のユーザに対応するクラウドカードを検索できなかった場合、上記第１のユーザのクラウドカード情報に基づいて上記第１のユーザに対応するクラウドカードを作成することによって、上記第１のユーザが作成したクラウドカードを取得するステップと、
上記第１のユーザが作成したクラウドカードを第２のユーザに対応する第２の端末に送信することによって、上記第１のユーザと上記第２のユーザが互いに通信する際に、上記第２のユーザが上記第１のユーザにより作成されたクラウドカードに基づいて上記第１のユーザを識別し、上記第１のユーザが作成したクラウドカードを表示するようにするステップと、
をさらに含み、
上記第２のユーザは、上記第１のユーザのユーザ識別子を記憶しているユーザであることを特徴とする請求項１に記載のクラウドカードに基づく電話呼び出し方法。
【請求項４】
上記第１のユーザと上記第２のユーザの間の通信は、
上記第１のユーザが更新後の電話番号を用いて上記第２のユーザを呼び出す通信方式と、
上記第１のユーザが更新後の電話番号を用いて上記第２のユーザにショットメッセージを送信する通信方式と、
上記第１のユーザが更新後のＥメールアドレスを用いて、上記第２のユーザにＥメールを送信する通信方式のうちの少なくとも１つを含み、
上記更新後の電話番号、上記更新後のＥメールアドレスは、上記第１のユーザの名刺情報に含まれていることを特徴とする請求項１乃至請求項３の何れか１項に記載のクラウドカードに基づく電話呼び出し方法。
【請求項５】
クラウドサーバから送信された第１のユーザの更新後のクラウドカードを受信するステップと、
上記第１のユーザの更新後のクラウドカードに基づいて、ローカルに記憶されている上記第１のユーザに対応するクラウドカードを更新するステップと、
上記第１のユーザと第２のユーザが互いに通信する際に、上記第１のユーザの更新後のクラウドカードに基づいて上記第１のユーザを識別し、上記第１のユーザの更新後のクラウドカードを表示するステップと、
を含み、
上記第２のユーザは、上記第１のユーザのユーザ識別子を記憶しているユーザであることを特徴とするクラウドカードに基づく電話呼び出し方法。
【請求項６】
上記方法は、
上記クラウドサーバから送信された上記第１のユーザが作成したクラウドカードを受信するステップと、
上記第１のユーザが作成したクラウドカードをローカルの連絡先に記憶するステップと、
上記第１のユーザと上記第２のユーザが互いに通信する際に、上記第１のユーザが作成したクラウドカードに基づいて上記第１のユーザを識別し、上記第１のユーザが作成したクラウドカードを表示するステップと、
をさらに含むことを特徴とする請求項５に記載のクラウドカードに基づく電話呼び出し方法。
【請求項７】
第１のユーザのユーザ識別子が含まれている第１のユーザのクラウドカード情報を受信するための受信モジュールと、
上記第１のユーザのユーザ識別子に基づいて上記第１のユーザに対応するクラウドカードを検索すると、上記第１のユーザのクラウドカード情報に基づいて、上記第１のユーザに対応するクラウドカードを更新することによって、上記第１のユーザの更新後のクラウドカードを取得するための更新モジュールと、
上記第１のユーザの更新後のクラウドカードを第２のユーザに送信して、上記第１のユーザと上記第２のユーザが互いに通信する際に、上記第２のユーザが上記第１のユーザの更新後のクラウドカードに基づいて上記第１のユーザを識別し、上記第１のユーザの更新後のクラウドカードを表示するようにするための第１の送信モジュールと、
を含み、
上記第２のユーザは、上記第１のユーザのユーザ識別子を記憶しているユーザであることを特徴とするクラウドカードに基づく電話呼び出し装置。
【請求項８】
上記第１のユーザのクラウドカード情報は、上記第１のユーザに対応するクラウドカードに含まれる各情報とバージョンナンバーを含み、
上記更新モジュールは、
受信したバージョンナンバーとローカルに記憶されている上記第１のユーザに対応するクラウドカードのバージョンナンバーを比較して比較結果を得るための比較サブモジュールと、
受信したクラウドカード情報がローカルに記憶されている上記第１のユーザに対応するクラウドカードの更新バージョンであることを上記比較結果が示す場合、受信したクラウドカード情報を用いて、ローカルに記憶されている上記第１のユーザに対応するクラウドカードを更新することによって、上記第１のユーザの更新後のクラウドカードを得るための更新サブモジュールと、
を含むことを特徴とする請求項７に記載のクラウドカードに基づく電話呼び出し装置。
【請求項９】
上記装置は、
上記第１のユーザのユーザ識別子に基づいて上記第１のユーザに対応するクラウドカードを検索できなかった場合、上記第１のユーザのクラウドカード情報に基づいて上記第１のユーザに対応するクラウドカードを作成することによって、上記第１のユーザが作成したクラウドカードを取得するための作成モジュールと、
上記第１のユーザが作成したクラウドカードを第２のユーザに対応する第２の端末に送信することによって、上記第１のユーザと上記第２のユーザが互いに通信する際に、上記第２のユーザが上記第１のユーザにより作成されたクラウドカードに基づいて上記第１のユーザを識別し、上記第１のユーザが作成したクラウドカードを表示するようにするための第２の送信モジュールと、
をさらに含み、
上記第２のユーザは、上記第１のユーザのユーザ識別子を記憶しているユーザであることを特徴とする請求項７に記載のクラウドカードに基づく電話呼び出し装置。
【請求項１０】
上記第１のユーザと上記第２のユーザの間の通信は、
上記第１のユーザが更新後の電話番号を用いて上記第２のユーザを呼び出す通信方式と、
上記第１のユーザが更新後の電話番号を用いて上記第２のユーザにショットメッセージを送信する通信方式と、
上記第１のユーザが更新後のＥメールアドレスを用いて、上記第２のユーザにＥメールを送信する通信方式のうちの少なくとも１つを含み、
上記更新後の電話番号、上記更新後のＥメールアドレスは、上記第１のユーザの名刺情報に含まれていることを特徴とする請求項７乃至請求項９の何れか１項に記載のクラウドカードに基づく電話呼び出し装置。
【請求項１１】
クラウドサーバから送信された第１のユーザの更新後のクラウドカードを受信するための第１の受信モジュールと、
上記第１のユーザの更新後のクラウドカードに基づいて、ローカルに記憶されている上記第１のユーザに対応するクラウドカードを更新するための更新モジュールと、
上記第１のユーザと第２のユーザが互いに通信する際に、上記第１のユーザの更新後のクラウドカードに基づいて上記第１のユーザを識別し、上記第１のユーザの更新後のクラウドカードを表示するための第１の表示モジュールと、
を含み、
上記第２のユーザは、上記第１のユーザのユーザ識別子を記憶しているユーザであることを特徴とするクラウドカードに基づく電話呼び出し装置。
【請求項１２】
上記装置は、
上記クラウドサーバから送信された上記第１のユーザが作成したクラウドカードを受信するための第２の受信モジュールと、
上記第１のユーザが作成したクラウドカードをローカルの連絡先に記憶するための記憶モジュールと、
上記第１のユーザと上記第２のユーザが互いに通信する際に、上記第１のユーザが作成したクラウドカードに基づいて上記第１のユーザを識別し、上記第１のユーザが作成したクラウドカードを表示するための第２の表示モジュールと、
をさらに含むことを特徴とする請求項１１に記載のクラウドカードに基づく電話呼び出し装置。
【請求項１３】
プロセッサと、
前記プロセッサにより実行可能な命令を記憶するためのメモリと、
を含み、
前記プロセッサは、
第１のユーザのユーザ識別子が含まれている第１のユーザのクラウドカード情報を受信し、
上記第１のユーザのユーザ識別子に基づいて上記第１のユーザに対応するクラウドカードを検索すると、上記第１のユーザのクラウドカード情報に基づいて、上記第１のユーザに対応するクラウドカードを更新することによって、上記第１のユーザの更新後のクラウドカードを取得し、
上記第１のユーザの更新後のクラウドカードを第２のユーザに送信して、上記第１のユーザと上記第２のユーザが互いに通信する際に、上記第２のユーザが上記第１のユーザの更新後のクラウドカードに基づいて上記第１のユーザを識別し、上記第１のユーザの更新後のクラウドカードを表示するように構成され、
上記第２のユーザは、上記第１のユーザのユーザ識別子を記憶しているユーザであることを特徴とするクラウドカードに基づく電話呼び出し装置。
【請求項１４】
プロセッサと、
前記プロセッサにより実行可能な命令を記憶するためのメモリと、
を含み、
前記プロセッサは、
クラウドサーバから送信された第１のユーザの更新後のクラウドカードを受信し、
上記第１のユーザの更新後のクラウドカードに基づいて、ローカルに記憶されている上記第１のユーザに対応するクラウドカードを更新し、
上記第１のユーザと第２のユーザが互いに通信する際に、上記第１のユーザの更新後のクラウドカードに基づいて上記第１のユーザを識別し、上記第１のユーザの更新後のクラウドカードを表示するように構成され、
上記第２のユーザは、上記第１のユーザのユーザ識別子を記憶しているユーザであることを特徴とするクラウドカードに基づく電話呼び出し装置。
【請求項１５】
プロセッサに実行されることにより、請求項１〜６のいずれかに記載のクラウドカードに基づく電話呼び出し方法を実現することを特徴とするプログラム。
【請求項１６】
請求項１５に記載のプログラムが記録された記録媒体。
【手続補正２】
【補正対象書類名】明細書
【補正対象項目名】全文
【補正方法】変更
【補正の内容】
【発明の詳細な説明】
【技術分野】
【０００１】
本発明は、ネットワーク通信技術分野に関するものであり、特に、クラウドカードに基づく電話呼び出し方法、装置、プログラム及び記録媒体に関するものである。
【背景技術】
【０００２】
ネットワーク通信技術の絶え間のない発展につれて、一般的な電子名刺がますますクラウドカード（ｃｌｏｕｄ ｃａｒｄ）に取って代えられている。ここで、クラウドカードは、ユーザにより作成され、クラウド側のサーバに記憶される電子名刺である。関連技術において、ユーザは、クラウドカードをアップロードした後に、クラウドカードに対して、例えば、クラウドカードに対するクラウドカードの分類、クラウドカードの整理、クラウドカードの快速照会、友達とのクラウドカードの共有、及びアラーム機能を管理することができる。しかしながら、ユーザのクラウドカードが更新された後、当該ユーザの連絡者が当該ユーザを識別する速度が遅くなり、ユーザの体験が悪くなる。
【発明の概要】
【０００３】
本発明は、従来技術において、ユーザのクラウドカードが更新された後、当該ユーザの連絡者が当該ユーザを識別する速度が遅くなり、ユーザの体験が悪くなる問題点を解決できるクラウドカードに基づく電話呼び出し方法、装置、プログラム及び記録媒体を提供する。
【０００４】
本発明の実施例の第１の局面によると、クラウドカードに基づく電話呼び出し方法を提供し、当該方法は、
第１のユーザのユーザ識別子が含まれている第１のユーザのクラウドカード情報を受信するステップと、
上記第１のユーザのユーザ識別子に基づいて上記第１のユーザに対応するクラウドカードを検索すると、上記第１のユーザのクラウドカード情報に基づいて、上記第１のユーザに対応するクラウドカードを更新することによって、上記第１のユーザの更新後のクラウドカードを取得するステップと、
上記第１のユーザの更新後のクラウドカードを第２のユーザに送信して、上記第１のユーザと上記第２のユーザが互いに通信する際に、上記第２のユーザが上記第１のユーザの更新後のクラウドカードに基づいて上記第１のユーザを識別し、上記第１のユーザの更新後のクラウドカードを表示するようにするステップと、を含み、
上記第２のユーザは、上記第１のユーザのユーザ識別子を記憶しているユーザである。
【０００５】
選択的に、上記第１のユーザのクラウドカード情報は、上記第１のユーザに対応するクラウドカードに含まれる各情報とバージョンナンバーを含み、
上記第１のユーザのクラウドカード情報に基づいて、上記第１のユーザに対応するクラウドカードを更新することによって、上記第１のユーザの更新後のクラウドカードを取得するステップは、
受信したバージョンナンバーとローカルに記憶されている上記第１のユーザに対応するクラウドカードのバージョンナンバーを比較して比較結果を得るステップと、
受信したクラウドカード情報がローカルに記憶されている上記第１のユーザに対応するクラウドカードの更新バージョンであることを上記比較結果が示す場合、受信したクラウドカード情報を用いて、ローカルに記憶されている上記第１のユーザに対応するクラウドカードを更新することによって、上記第１のユーザの更新後のクラウドカードを得るステップと、を含む。
【０００６】
選択的に、上記方法は、
上記第１のユーザのユーザ識別子に基づいて上記第１のユーザに対応するクラウドカードを検索できなかった場合、上記第１のユーザのクラウドカード情報に基づいて上記第１のユーザに対応するクラウドカードを作成することによって、上記第１のユーザが作成したクラウドカードを取得するステップと、
上記第１のユーザが作成したクラウドカードを第２のユーザに対応する第２の端末に送信することによって、上記第１のユーザと上記第２のユーザが互いに通信する際に、上記第２のユーザが上記第１のユーザにより作成されたクラウドカードに基づいて上記第１のユーザを識別し、上記第１のユーザが作成したクラウドカードを表示するようにするステップと、をさらに含み、
上記第２のユーザは、上記第１のユーザのユーザ識別子を記憶しているユーザである。
【０００７】
選択的に、上記第１のユーザと上記第２のユーザの間の通信は、
上記第１のユーザが更新後の電話番号を用いて上記第２のユーザを呼び出す通信方式と、
上記第１のユーザが更新後の電話番号を用いて上記第２のユーザにショットメッセージを送信する通信方式と、
上記第１のユーザが更新後のＥメールアドレスを用いて、上記第２のユーザにＥメールを送信する通信方式のうちの少なくとも１つを含み、
上記更新後の電話番号、上記更新後のＥメールアドレスは、上記第１のユーザの名刺情報に含まれている。
【０００８】
本発明の実施例の第２の局面によると、クラウドカードに基づく電話呼び出し方法 を提供し、当該方法は、
クラウドサーバから送信された第１のユーザの更新後のクラウドカードを受信するステップと、
上記第１のユーザの更新後のクラウドカードに基づいて、ローカルに記憶されている上記第１のユーザに対応するクラウドカードを更新するステップと、
上記第１のユーザと第２のユーザが互いに通信する際に、上記第１のユーザの更新後のクラウドカードに基づいて上記第１のユーザを識別し、上記第１のユーザの更新後のクラウドカードを表示するステップと、を含み、
上記第２のユーザは、上記第１のユーザのユーザ識別子を記憶しているユーザである。
【０００９】
選択的に、上記方法は、
上記クラウドサーバから送信された上記第１のユーザが作成したクラウドカードを受信するステップと、
上記第１のユーザが作成したクラウドカードをローカルの連絡先に記憶するステップと、
上記第１のユーザと上記第２のユーザが互いに通信する際に、上記第１のユーザが作成したクラウドカードに基づいて上記第１のユーザを識別し、上記第１のユーザが作成したクラウドカードを表示するステップと、をさらに含む。
【００１０】
本発明の実施例の第３の局面によると、クラウドカードに基づく電話呼び出し装置を提供し、当該装置は、
第１のユーザのユーザ識別子が含まれている第１のユーザのクラウドカード情報を受信するための受信モジュールと、
上記第１のユーザのユーザ識別子に基づいて上記第１のユーザに対応するクラウドカードを検索すると、上記第１のユーザのクラウドカード情報に基づいて、上記第１のユーザに対応するクラウドカードを更新することによって、上記第１のユーザの更新後のクラウドカードを取得するための更新モジュールと、
上記第１のユーザの更新後のクラウドカードを第２のユーザに送信して、上記第１のユーザと上記第２のユーザが互いに通信する際に、上記第２のユーザが上記第１のユーザの更新後のクラウドカードに基づいて上記第１のユーザを識別し、上記第１のユーザの更新後のクラウドカードを表示するようにするための第１の送信モジュールと、を含み、
上記第２のユーザは、上記第１のユーザのユーザ識別子を記憶しているユーザである。
【００１１】
選択的に、上記第１のユーザのクラウドカード情報は、上記第１のユーザに対応するクラウドカードに含まれる各情報とバージョンナンバーを含み、
上記更新モジュールは、
受信したバージョンナンバーとローカルに記憶されている上記第１のユーザに対応するクラウドカードのバージョンナンバーを比較して比較結果を得るための比較サブモジュールと、
受信したクラウドカード情報がローカルに記憶されている上記第１のユーザに対応するクラウドカードの更新バージョンであることを上記比較結果が示す場合、受信したクラウドカード情報を用いて、ローカルに記憶されている上記第１のユーザに対応するクラウドカードを更新することによって、上記第１のユーザの更新後のクラウドカードを得るための更新サブモジュールと、を含む。
【００１２】
選択的に、上記装置は、
上記第１のユーザのユーザ識別子に基づいて上記第１のユーザに対応するクラウドカードを検索できなかった場合、上記第１のユーザのクラウドカード情報に基づいて上記第１のユーザに対応するクラウドカードを作成することによって、上記第１のユーザが作成したクラウドカードを取得するための作成モジュールと、
上記第１のユーザが作成したクラウドカードを第２のユーザに対応する第２の端末に送信することによって、上記第１のユーザと上記第２のユーザが互いに通信する際に、上記第２のユーザが上記第１のユーザにより作成されたクラウドカードに基づいて上記第１のユーザを識別し、上記第１のユーザが作成したクラウドカードを表示するようにするための第２の送信モジュールと、をさらに含み、
上記第２のユーザは、上記第１のユーザのユーザ識別子を記憶しているユーザである。
【００１３】
選択的に、上記第１のユーザと上記第２のユーザの間の通信は、
上記第１のユーザが更新後の電話番号を用いて上記第２のユーザを呼び出す通信方式と、
上記第１のユーザが更新後の電話番号を用いて上記第２のユーザにショットメッセージを送信する通信方式と、
上記第１のユーザが更新後のＥメールアドレスを用いて、上記第２のユーザにＥメールを送信する通信方式のうちの少なくとも１つを含み、
上記更新後の電話番号、上記更新後のＥメールアドレスは、上記第１のユーザの名刺情報に含まれている。
【００１４】
本発明の実施例の第４の局面によると、クラウドカードに基づく電話呼び出し装置を提供し、当該装置は、
クラウドサーバから送信された第１のユーザの更新後のクラウドカードを受信するための第１の受信モジュールと、
上記第１のユーザの更新後のクラウドカードに基づいて、ローカルに記憶されている上記第１のユーザに対応するクラウドカードを更新するための更新モジュールと、
上記第１のユーザと第２のユーザが互いに通信する際に、上記第１のユーザの更新後のクラウドカードに基づいて上記第１のユーザを識別し、上記第１のユーザの更新後のクラウドカードを表示するための第１の表示モジュールと、を含み、
上記第２のユーザは、上記第１のユーザのユーザ識別子を記憶しているユーザである。
【００１５】
選択的に、上記装置は、
上記クラウドサーバから送信された上記第１のユーザが作成したクラウドカードを受信するための第２の受信モジュールと、
上記第１のユーザが作成したクラウドカードをローカルの連絡先に記憶するための記憶モジュールと、
上記第１のユーザと上記第２のユーザが互いに通信する際に、上記第１のユーザが作成したクラウドカードに基づいて上記第１のユーザを識別し、上記第１のユーザが作成したクラウドカードを表示するための第２の表示モジュールと、をさらに含む。
【００１６】
本発明の実施例の第５の局面によると、クラウドカードに基づく電話呼び出し装置を提供し、当該装置は、
プロセッサと、
前記プロセッサにより実行可能な命令を記憶するためのメモリと、を含み、
前記プロセッサは、
第１のユーザのユーザ識別子が含まれている第１のユーザのクラウドカード情報を受信し、
上記第１のユーザのユーザ識別子に基づいて上記第１のユーザに対応するクラウドカードを検索すると、上記第１のユーザのクラウドカード情報に基づいて、上記第１のユーザに対応するクラウドカードを更新することによって、上記第１のユーザの更新後のクラウドカードを取得し、
上記第１のユーザの更新後のクラウドカードを第２のユーザに送信して、上記第１のユーザと上記第２のユーザが互いに通信する際に、上記第２のユーザが上記第１のユーザの更新後のクラウドカードに基づいて上記第１のユーザを識別し、上記第１のユーザの更新後のクラウドカードを表示するように構成され、
上記第２のユーザは、上記第１のユーザのユーザ識別子を記憶しているユーザである。
【００１７】
本発明の実施例の第６の局面によると、クラウドカードに基づく電話呼び出し装置を提供し、当該装置は、
プロセッサと、
前記プロセッサにより実行可能な命令を記憶するためのメモリと、を含み、
前記プロセッサは、
クラウドサーバから送信された第１のユーザの更新後のクラウドカードを受信し、
上記第１のユーザの更新後のクラウドカードに基づいて、ローカルに記憶されている上記第１のユーザに対応するクラウドカードを更新し、
上記第１のユーザと第２のユーザが互いに通信する際に、上記第１のユーザの更新後のクラウドカードに基づいて上記第１のユーザを識別し、上記第１のユーザの更新後のクラウドカードを表示するように構成され、
上記第２のユーザは、上記第１のユーザのユーザ識別子を記憶しているユーザである。
本発明の実施例の第７の局面によると、プロセッサに実行されることにより、前記のクラウドカードに基づく電話呼び出し方法を実現することを特徴とするプログラムを提供する。
本発明の実施例の第８の局面によると、前記のプログラムが記録された記録媒体を提供する。
【００１８】
本発明の実施例に係る技術案は、下記の有益な効果を有する。
【００１９】
本発明において、クラウドサーバは、第１のユーザのクラウドカード情報を受信した後、当該クラウドカード情報に基づいて、第１のユーザに対応するクラウドカードを自動に更新することができ、更新後のクラウドカードを第２のユーザに送信して、第２のユーザが第１のユーザのクラウドカードを自動に更新するようにし、第１のユーザと第２のユーザが通信する際に、第２のユーザが第１のユーザを自動に識別できるようにすることによって、第２のユーザが第１のユーザを識別する速度と正確度を向上させ、第２のユーザのユーザ体験も向上させる。
【００２０】
本発明において、クラウドサーバは、第１のユーザのクラウドカード情報を受信した後、第１のユーザに対応するクラウドカードに含まれる各情報とバージョンナンバーを当該クラウドカード情報が含む場合、バージョンナンバーに基づいて、記憶されている第１のユーザのクラウドカードの更新要否を直接確定することができ、更新を確定すると、受信したクラウドカード情報で既に記憶されている第１のユーザのクラウドカードを直接代えることによって、クラウドサーバの更新速度も比較的速くすることができる。
【００２１】
本発明において、クラウドサーバは、第１のユーザのクラウドカード情報を受信した後、自分が第１のユーザのクラウドカードを作成しなかった場合、受信した情報に基づいて第１のユーザのクラウドカードを作成し、作成したクラウドカードを第２のユーザに送信して、第２のユーザが第１のユーザのクラウドカードを記憶するようにし、第１のユーザと第２のユーザが通信する際に、第２のユーザが第１のユーザを自動に識別できるようにすることによって、第２のユーザが第１のユーザを識別する速度と正確度を向上させ、第２のユーザのユーザ体験も向上させる。
【００２２】
本発明において、第２の端末は、クラウドサーバから送信された第１のユーザの更新後のクラウドカードを受信すると、第１のユーザの更新後のクラウドカードに基づいて、ローカルに記憶されている第１のユーザに対応するクラウドカードを自動に更新し、第１のユーザと第２のユーザが互いに通信する際に、第１のユーザの更新後のクラウドカードに基づいて第１のユーザを識別し、第１のユーザの更新後のクラウドカードを表示して、第２のユーザが第１のユーザの更新後のクラウドカードに基づいて第１のユーザを自動に識別できるようにすることによって、第２のユーザが第１のユーザを識別する速度と正確度を向上させ、第２のユーザのユーザ体験も向上させる。ここで、第１のユーザは、第２の端末に対応する第２のユーザの連絡者である。
【００２３】
本発明において、第２の端末は、第２の端末は、クラウドサーバから送信された第１のユーザが作成したクラウドカードを受信すると、第１のユーザが作成したクラウドカードをローカルの連絡先に自動に記憶し、第１のユーザと第２のユーザが互いに通信する際に、第１のユーザが作成したクラウドカードに基づいて第１のユーザを識別し、第１のユーザが作成したクラウドカードを表示して、第２のユーザが第１のユーザにより作成されたクラウドカードに基づいて第１のユーザを自動に識別できるようにすることによって、第２のユーザが第１のユーザを識別する速度と正確度を向上させ、第２のユーザのユーザ体験も向上させる。
【００２４】
以上の一般的な記述と、以下の詳細の記述は、ただ例示的なものであって、本発明を限定するものではないことを理解すべきである。
【図面の簡単な説明】
【００２５】
ここの図面は、明細書に組み入れて本明細書の一部分を構成し、本発明に該当する実施例を例示するとともに、明細書とともに本発明の原理を解釈するために用いられる。
【図１】図１は、本発明の１つの例示的な実施例に係るクラウドカードに基づく電話呼び出し方法のフローチャートである。
【図２】図２は、本発明の１つの例示的な実施例に係る別のクラウドカードに基づく電話呼び出し方法のフローチャートである。
【図３】図３は、本発明の１つの例示的な実施例に係る別のクラウドカードに基づく電話呼び出し方法のフローチャートである。
【図４】図４は、本発明の１つの例示的な実施例に係る別のクラウドカードに基づく電話呼び出し方法のフローチャートである。
【図５】図５は、本発明の１つの例示的な実施例に係る別のクラウドカードに基づく電話呼び出し方法のフローチャートである。
【図６】図６は、本発明の１つの例示的な実施例に係るクラウドカードに基づく電話呼び出し方法の応用場面図である。
【図７】図７は、本発明の１つの例示的な実施例に係るクラウドカードに基づく電話呼び出し装置のブロック図である。
【図８】図８は、本発明の１つの例示的な実施例に係る別のクラウドカードに基づく電話呼び出し装置のブロック図である。
【図９】図９は、本発明の１つの例示的な実施例に係る別のクラウドカードに基づく電話呼び出し装置のブロック図である。
【図１０】図１０は、本発明の１つの例示的な実施例に係る別のクラウドカードに基づく電話呼び出し装置のブロック図である。
【図１１】図１１は、本発明の１つの例示的な実施例に係る別のクラウドカードに基づく電話呼び出し装置のブロック図である。
【図１２】図１２は、本発明の１つの例示的な実施例に係るクラウドカードに基づく電話呼び出し装置に用いられる構成の模式図である。
【図１３】図１３は、本発明の１つの例示的な実施例に係るクラウドカードに基づく電話呼び出し装置に用いられる別の構成の模式図である。
【発明を実施するための形態】
【００２６】
ここで、図面に示される例示的な実施例について詳細に説明する。以下、図面に関連して説明する際に、特別な説明がない限り、異なる図面での同一符号は、同一または類似な要素を示す。以下の例示的な実施例で記載する実施例は、本発明に一致する全ての実施例を代表するわけではない。かえって、それらは、添付される特許請求の範囲で詳細に記載される本発明の一部の態様に一致する装置、及び方法の例に過ぎない。
【００２７】
本発明で使用される用語は特定の実施例を表現する目的でのみ出されており、本発明を限定するものではない。本発明と添付された特許請求の範囲において使用された単数形式の「一種」、「上記」、および「当該」も、上下の文がその他の意味を明確に示す場合を除き、複数の形式を含むものである。さらに理解するべきことは、本文中で使用される「及び／又は」は、一又は複数の関連する列挙項目のいずれか又はすべての可能な組合せを含む。
【００２８】
理解が必要なことは、本発明において第１、第２、第３などの用語を採用して各種情報を表現しているかもしれないが、これらの情報はこれらの用語に限定されない。これらの用語は、同一類型の情報を互いに区別するためだけに用いられる。例えば、本発明の範囲を超えない状況の下、第１の情報は第２の情報ということもでき、同様に、第２の情報を第１の情報ということもできる。言葉環境によって、例えば、ここで使用している単語「もし」は、「…であるとき」、「…である際」又は「確定に応じて」に解釈してもよい。
【００２９】
図１に示されるように、図１は、本発明の１つの例示的な実施例に係るクラウドカードに基づく電話呼び出し方法のフローチャートであり、当該方法は、クラウドサーバに適用可能であり、下記のステップを含む。
【００３０】
ステップ１１０において、第１のユーザのユーザ識別子が含まれている第１のユーザのクラウドカード情報を受信する。ここで、当該第１のユーザのクラウドカード情報は、第１のユーザが使用する第１の端末からクラウドサーバに送信されたものであってもよい。
【００３１】
本発明の実施例において、クラウドカード情報は、第１のユーザが初めて作成したクラウドカードにおける情報であってもよく、更新する必要のある情報であってもよい。ここで、クラウドカードは、第１のユーザが作成してクラウドサーバに記憶した電子名刺であってもよく、第１のユーザがクラウドカードをアップロードした後、サーバは、第１のユーザのクラウドカードを管理することができる。例えば、第１のユーザは、ユーザＡであり、ユーザＡのクラウドカードには、ユーザＡの名前、携帯電話番号、及びプロファイル写真などが含まれる。
【００３２】
また、第１のユーザのユーザ識別子は、第１のユーザがクラウドサーバに登録したユーザ名であってもよく、第１のユーザの携帯電話番号などであってもよい。その目的は、クラウドサーバが当該ユーザ識別子に基づいて第１のユーザに対応するクラウドカードを検索できるようにするためである。
【００３３】
ステップ１２０において、第１のユーザのユーザ識別子に基づいて第１のユーザに対応するクラウドカードを検索すると、第１のユーザのクラウドカード情報に基づいて、第１のユーザに対応するクラウドカードを更新することによって、第１のユーザの更新後のクラウドカードを取得する。
【００３４】
本発明の実施例において、第１のユーザのユーザ識別子に基づいて第１のユーザに対応するクラウドカードを検索すると、クラウドサーバに第１のユーザに対応するクラウドカードが既に記憶されていることを示し、第１のユーザのクラウドカード情報を再受信したということは、第１のユーザが既存のクラウドカードを更新しようとしていることを示す。
【００３５】
例えば、第１のユーザが既存のクラウドカードにおけるプロファイル写真を更新しようとする場合、クラウドサーバが受信した第１のユーザのクラウドカード情報には、第１のユーザの更新後のプロファイル写真が含まれ、この場合、クラウドサーバは、更新後のプロファイル写真に基づいて、ローカルに記憶されている第１のユーザのクラウドカードにおけるプロファイル写真を更新し、更新後のクラウドカードには、第１のユーザにより更新された最新のプロファイル写真が含まれる。
【００３６】
また、例えば、第１のユーザが既存のクラウドカードにおける携帯電話番号を更新するか、または新しい携帯電話番号を追加しようとする場合、クラウドサーバが受信した第１のユーザのクラウドカード情報には、更新後の携帯電話番号または追加しようとする新しい携帯電話番号が含まれ、この場合、クラウドサーバは、更新後の携帯電話番号または追加しようとする新しい携帯電話番号に基づいて、ローカルに記憶されている第１のユーザのクラウドカードにおける携帯電話番号を更新し、更新後のクラウドカードには、第１のユーザの更新後の携帯電話番号または追加しようとする新しい携帯電話番号が含まれる。
【００３７】
ステップ１３０において、第１のユーザの更新後のクラウドカードを第２のユーザに送信して、第１のユーザと第２のユーザが互いに通信する際に、第２のユーザが第１のユーザの更新後のクラウドカードに基づいて第１のユーザを識別し、第１のユーザの更新後のクラウドカードを表示するようにする。ここで、第２のユーザは、第１のユーザのユーザ識別子を記憶しているユーザであってもよい。
【００３８】
本発明の実施例において、第２のユーザは、第１のユーザのユーザ識別子を記憶しているユーザであってもよい。例えば、第１のユーザは、第１のユーザの連絡者であり、第２のユーザの連絡先にいるユーザである。ここで、第１のユーザが第１のユーザのクラウドカードを作成すると、クラウドサーバは、第１のユーザのクラウドカードを第２のユーザに対応する第２の端末に送信し、第２のユーザの連絡先に記憶する。第１のユーザが自分のクラウドカードを更新しようとする場合、クラウドサーバは、第１のユーザの更新後のクラウドカード情報に基づいて更新して、更新後のクラウドカードを取得し、それとともに、第２のユーザの連絡先における第１のユーザのクラウドカードは、クラウドサーバを通じて自動に更新される。
【００３９】
例えば、第１のユーザがユーザＡであり、第２のユーザがユーザＢであり、ユーザＡが更新後の携帯電話番号または追加した新しい携帯電話番号でユーザＢを呼び出す場合、ユーザＢが使用する第２の端末は、電話着信画面にユーザＡの最新のクラウドカードを表示する。または、ユーザＡが更新後の携帯電話番号または追加した新しい携帯電話番号でユーザＢにショットメッセージを送信する場合、ユーザＢが使用する第２の端末は、ショットメッセージ画面にユーザＡの最新のクラウドカードを表示する。
【００４０】
上記実施例から分かるように、クラウドサーバは、第１のユーザのクラウドカード情報を受信した後、当該クラウドカード情報に基づいて、第１のユーザに対応するクラウドカードを自動に更新することができ、更新後のクラウドカードを第２のユーザに送信して、第２のユーザが第１のユーザのクラウドカードを自動に更新するようにし、第１のユーザと第２のユーザが通信する際に、第２のユーザが第１のユーザを自動に識別できるようにすることによって、第２のユーザが第１のユーザを識別する速度と正確度を向上させ、第２のユーザのユーザ体験も向上させる。
【００４１】
図２に示されるように、図２は、本発明の１つの例示的な実施例に係る別のクラウドカードに基づく電話呼び出し方法のフローチャートであり、当該方法は、クラウドサーバに適用可能であり、図１を基礎として、下記のステップを含む。
【００４２】
ステップ２１０において、第１のユーザのユーザ識別子が含まれ、且つ第１のユーザに対応するクラウドカードに含まれる各情報とバージョンナンバーを含む第１のユーザのクラウドカード情報を受信する。
【００４３】
ステップ２２０において、受信したバージョンナンバーとローカルに記憶されている第１のユーザに対応するクラウドカードのバージョンナンバーを比較して比較結果を得る。
【００４４】
例えば、第１のユーザは、ユーザＡであり、クラウドサーバに記憶されているユーザＡのクラウドカードには、ユーザＡの名前、携帯電話番号１、及びプロファイル写真１などが含まれ、バージョンナンバーは、１である。ユーザＡが携帯電話番号１を携帯電話番号２に更新し、プロファイル写真１をプロファイル写真２に更新しようとする場合、クラウドサーバが受信した第１のユーザのクラウドカード情報には、ユーザＡの名前、携帯電話番号２、プロファイル写真２が含まれ、バージョンナンバーは、２である。クラウドサーバは、受信したバージョンナンバー２とバージョンナンバー１を比較し、バージョンナンバー２に対応するクラウドカードがバージョンナンバー１に対応するクラウドカードの更新バージョンである、という比較結果を得る。
【００４５】
ステップ２３０において、受信したクラウドカード情報がローカルに記憶されている第１のユーザに対応するクラウドカードの更新バージョンであることを比較結果が示す場合、受信したクラウドカード情報を用いて、ローカルに記憶されている第１のユーザに対応するクラウドカードを更新することによって、第１のユーザの更新後のクラウドカードを得る。
【００４６】
また、受信したクラウドカード情報が、検索した第１のユーザに対応するクラウドカードの更新バージョンではないことを比較結果が示す場合、更新する必要がない。
【００４７】
上記実施例から分かるように、クラウドサーバは、第１のユーザのクラウドカード情報を受信した後、第１のユーザに対応するクラウドカードに含まれる各情報とバージョンナンバーを当該クラウドカード情報が含む場合、バージョンナンバーに基づいて、記憶されている第１のユーザのクラウドカードの更新要否を直接確定することができ、更新を確定すると、受信したクラウドカード情報で既に記憶されている第１のユーザのクラウドカードを直接代えることによって、クラウドサーバの更新速度も比較的速くすることができる。
【００４８】
図３に示されるように、図３は、本発明の１つの例示的な実施例に係る別のクラウドカードに基づく電話呼び出し方法のフローチャートであり、当該方法は、クラウドサーバに適用可能であり、図１を基礎として、下記のステップを含む。
【００４９】
ステップ３１０において、第１のユーザのユーザ識別子が含まれている第１のユーザのクラウドカード情報を受信する。
【００５０】
本発明の実施例において、クラウドカード情報は、第１のユーザが初めて作成したクラウドカードにおける情報であってもよく、第１のユーザがクラウドカード情報をアップロードした後、クラウドサーバは、当該クラウドカード情報に基づいて第１のユーザのクラウドカードを作成することができる。例えば、第１のユーザは、ユーザＡであり、ユーザＡのクラウドカードには、ユーザＡの名前、携帯電話番号、及びプロファイル写真などが含まれる。
【００５１】
ステップ３２０において、第１のユーザのユーザ識別子に基づいて第１のユーザに対応するクラウドカードを検索できなかった場合、第１のユーザのクラウドカード情報に基づいて第１のユーザに対応するクラウドカードを作成することによって、第１のユーザが作成したクラウドカードを取得する。
【００５２】
本発明の実施例において、第１のユーザのユーザ識別子に基づいて第１のユーザに対応するクラウドカードを検索できなかった場合、クラウドサーバに第１のユーザに対応するクラウドカードがまだ作成されていないことを示し、受信した第１のユーザのクラウドカード情報に基づいて、第１のユーザに対応するクラウドカードを作成することができる。
【００５３】
ステップ３３０において、第１のユーザが作成したクラウドカードを第２のユーザに送信することによって、第１のユーザと第２のユーザが互いに通信する際に、第２のユーザが第１のユーザにより作成されたクラウドカードに基づいて第１のユーザを識別し、第１のユーザが作成したクラウドカードを表示するようにする。ここで、第２のユーザは、第１のユーザのユーザ識別子を記憶しているユーザである。
【００５４】
本発明の実施例において、第２のユーザは、第１のユーザのユーザ識別子を記憶しているユーザであってもよい。例えば、第１のユーザは、第１のユーザの連絡者であり、第２のユーザの連絡先にいるユーザである。ここで、第１のユーザが第１のユーザのクラウドカードを作成すると、クラウドサーバは、第１のユーザのクラウドカードを第２のユーザに対応する第２の端末に送信し、第２のユーザの連絡先に記憶し、第１のユーザと第２のユーザが互いに通信する際に、第２の端末に第１のユーザにより作成されたクラウドカードを表示して、第２のユーザが第１のユーザにより作成されたクラウドカードに基づいて第１のユーザを識別するようにする。
【００５５】
上記実施例から分かるように、クラウドサーバは、第１のユーザのクラウドカード情報を受信した後、自分が第１のユーザのクラウドカードを作成しなかった場合、受信した情報に基づいて第１のユーザのクラウドカードを作成し、作成したクラウドカードを第２のユーザに送信して、第２のユーザが第１のユーザのクラウドカードを記憶するようにし、第１のユーザと第２のユーザが通信する際に、第２のユーザが第１のユーザを自動に識別できるようにすることによって、第２のユーザが第１のユーザを識別する速度と正確度を向上させ、第２のユーザのユーザ体験も向上させる。
【００５６】
また、上記図１から図４に示されるクラウドカードに基づく電話呼び出し方法において、第１のユーザと第２のユーザが互いに通信する際に、下記の通信方式のうちの少なくとも１つを含むことができる。
【００５７】
方式１：第１のユーザは、更新後の電話番号を用いて、第２のユーザを呼び出す。
【００５８】
方式２：第１のユーザは、更新後の電話番号を用いて、第２のユーザにショットメッセージを送信する。
【００５９】
方式３：第１のユーザは、更新後のＥメールアドレスを用いて、第２のユーザにＥメールを送信する。
【００６０】
ここで、更新後の電話番号、更新後のＥメールアドレスは、第１のユーザの名刺情報に含まれてもよい。
【００６１】
図４に示されるように、図４は、本発明の１つの例示的な実施例に係る別のクラウドカードに基づく電話呼び出し方法のフローチャートであり、当該方法は、第２の端末に適用可能であり、第２の端末は、第２のユーザが使用する端末であり、下記のステップを含む。
【００６２】
ステップ４１０において、クラウドサーバから送信された第１のユーザの更新後のクラウドカードを受信する。
【００６３】
本発明の実施例において、第１のユーザは、第２のユーザの連絡者であり、第２のユーザの連絡先にいるユーザであってもよい。第１のユーザが自分のクラウドカードを更新しようとする場合、クラウドサーバは、第１のユーザの更新後のクラウドカード情報に基づいて更新して、更新後のクラウドカードを取得し、それとともに、第２のユーザの連絡先における第１のユーザのクラウドカードは、クラウドサーバを通じて自動に更新される。
【００６４】
ステップ４２０において、第１のユーザの更新後のクラウドカードに基づいて、ローカルに記憶されている第１のユーザに対応するクラウドカードを更新する。
【００６５】
ステップ４３０において、第１のユーザと第２のユーザが互いに通信する際に、第１のユーザの更新後のクラウドカードに基づいて第１のユーザを識別し、第１のユーザの更新後のクラウドカードを表示する。ここで、第２のユーザは、第１のユーザのユーザ識別子を記憶しているユーザである。
【００６６】
例えば、第１のユーザは、ユーザＡであり、第２のユーザは、ユーザＢであり、ユーザＡが更新後の携帯電話番号または追加した新しい携帯電話番号でユーザＢを呼び出す場合、ユーザＢが使用する第２の端末は、電話着信画面にユーザＡの最新のクラウドカードを表示する。または、ユーザＡが更新後の携帯電話番号または追加した新しい携帯電話番号でユーザＢにショットメッセージを送信する場合、ユーザＢが使用する第２の端末は、ショットメッセージ画面にユーザＡの最新のクラウドカードを表示することによって、第２のユーザがより速く第１のユーザを識別するようにし、第２のユーザのユーザ体験を向上させる。
【００６７】
上記実施例から分かるように、第２の端末は、クラウドサーバから送信された第１のユーザの更新後のクラウドカードを受信すると、第１のユーザの更新後のクラウドカードに基づいて、ローカルに記憶されている第１のユーザに対応するクラウドカードを自動に更新し、第１のユーザと第２のユーザが互いに通信する際に、第１のユーザの更新後のクラウドカードに基づいて第１のユーザを識別し、第１のユーザの更新後のクラウドカードを表示して、第２のユーザが第１のユーザの更新後のクラウドカードに基づいて第１のユーザを自動に識別できるようにすることによって、第２のユーザが第１のユーザを識別する速度と正確度を向上させ、第２のユーザのユーザ体験も向上させる。ここで、第１のユーザは、第２の端末に対応する第２のユーザの連絡者である。
【００６８】
図５に示されるように、図５は、本発明の１つの例示的な実施例に係る別のクラウドカードに基づく電話呼び出し方法のフローチャートであり、当該方法は、第２の端末に適用可能であり、第２の端末は、第２のユーザが使用する端末であり、図４を基礎として、下記のステップを含む。
【００６９】
ステップ５１０において、クラウドサーバから送信された第１のユーザが作成したクラウドカードを受信する。
【００７０】
本発明の実施例において、第１のユーザは、第２のユーザの連絡者であり、第２のユーザの連絡先にいるユーザであってもよい。第１のユーザが第１のユーザのクラウドカードを作成すると、クラウドサーバは、第１のユーザのクラウドカードを第２のユーザに対応する第２の端末に送信し、第２のユーザの連絡先に記憶する。
【００７１】
ステップ５２０において、第１のユーザが作成したクラウドカードをローカルの連絡先に記憶する。
【００７２】
ステップ５３０において、第１のユーザと第２のユーザが互いに通信する際に、第１のユーザが作成したクラウドカードに基づいて第１のユーザを識別し、第１のユーザが作成したクラウドカードを表示する。
【００７３】
上記実施例から分かるように、第２の端末は、クラウドサーバから送信された第１のユーザが作成したクラウドカードを受信すると、第１のユーザが作成したクラウドカードをローカルの連絡先に自動に記憶し、第１のユーザと第２のユーザが互いに通信する際に、第１のユーザが作成したクラウドカードに基づいて第１のユーザを識別し、第１のユーザが作成したクラウドカードを表示して、第２のユーザが第１のユーザにより作成されたクラウドカードに基づいて第１のユーザを自動に識別できるようにすることによって、第２のユーザが第１のユーザを識別する速度と正確度を向上させ、第２のユーザのユーザ体験も向上させる。
【００７４】
図６に示されるように、図６は、本発明の１つの例示的な実施例に係るクラウドカードに基づく電話呼び出し方法の応用場面の図である。当該応用場面は、クラウドサーバ、第１の端末、及び第２の端末を含む。ここで、第１のユーザは、第１の端末を使用し、第２のユーザは、第２の端末を使用する。
【００７５】
第１の端末は、自分に対応する第１のユーザのクラウドカード情報を受信し、クラウドカード情報をクラウドサーバに送信する。クラウドカード情報には、第１のユーザのユーザ識別子が含まれている。クラウドサーバは、第１のユーザのユーザ識別子に基づいて第１のユーザに対応するクラウドカードを検索すると、第１のユーザのクラウドカード情報に基づいて、第１のユーザに対応するクラウドカードを更新することによって、第１のユーザの更新後のクラウドカードを取得し、第１のユーザの更新後のクラウドカードを第２のユーザに対応する第２の端末に送信する。
【００７６】
第２のユーザは、第１のユーザのユーザ識別子を記憶しているユーザである。第２の端末は、第１のユーザの更新後のクラウドカードに基づいて、ローカルに記憶されている第１のユーザに対応するクラウドカードを更新し、第１のユーザと第２のユーザが互いに通信する際に、第２の端末は、第１のユーザの更新後のクラウドカードに基づいて第１のユーザを識別し、第１のユーザの更新後のクラウドカードを表示することによって、第２のユーザが第１のユーザの更新後のクラウドカードに基づいて第１のユーザを識別するようにする。従って、第２のユーザが第１のユーザの更新後のクラウドカードに基づいてより速く第１のユーザを識別できるようにし、第２のユーザのユーザ体験を向上させる。
【００７７】
上記クラウドカードに基づく電話呼び出し方法の実施例に応じて、本発明は、クラウドカードに基づく電話呼び出し装置の実施例をさらに提供する。
【００７８】
図７に示されるように、図７は、本発明の１つの例示的な実施例に係るクラウドカードに基づく電話呼び出し装置のブロック図であり、上記装置は、クラウドサーバに適用され、図１に示されるクラウドカードに基づく電話呼び出し方法を実行し、上記装置は、受信モジュール７１、更新モジュール７２、及び第１の送信モジュール７３を含む。
【００７９】
ここで、受信モジュール７１は、第１のユーザのユーザ識別子が含まれている第１のユーザのクラウドカード情報を受信するためのものである。
【００８０】
更新モジュール７２は、上記第１のユーザのユーザ識別子に基づいて上記第１のユーザに対応するクラウドカードを検索すると、上記第１のユーザのクラウドカード情報に基づいて、上記第１のユーザに対応するクラウドカードを更新することによって、上記第１のユーザの更新後のクラウドカードを取得するためのものである。
【００８１】
第１の送信モジュール７３は、上記第１のユーザの更新後のクラウドカードを第２のユーザに送信して、上記第１のユーザと上記第２のユーザが互いに通信する際に、上記第２のユーザが上記第１のユーザの更新後のクラウドカードに基づいて上記第１のユーザを識別し、上記第１のユーザの更新後のクラウドカードを表示するようにするためのものである。上記第２のユーザは、上記第１のユーザのユーザ識別子を記憶しているユーザである。
【００８２】
上記実施例から分かるように、クラウドサーバは、第１のユーザのクラウドカード情報を受信した後、当該クラウドカード情報に基づいて、第１のユーザに対応するクラウドカードを自動に更新することができ、更新後のクラウドカードを第２のユーザに送信して、第２のユーザが第１のユーザのクラウドカードを自動に更新するようにし、第１のユーザと第２のユーザが通信する際に、第２のユーザが第１のユーザを自動に識別できるようにすることによって、第２のユーザが第１のユーザを識別する速度と正確度を向上させ、第２のユーザのユーザ体験も向上させる。
【００８３】
図８に示されるように、図８は、本発明の１つの例示的な実施例に係る別のクラウドカードに基づく電話呼び出し装置のブロック図であり、上記装置は、クラウドサーバに適用され、当該実施例は、上記図７に示される実施例を基礎として、図２に示されるクラウドカードに基づく電話呼び出し方法を実行し、第１のユーザのクラウドカード情報には、上記第１のユーザに対応するクラウドカードに含まれる各情報とバージョンナンバーが含まれる。上記更新モジュール７２は、比較サブモジュール８１と、更新サブモジュール８２を含んでもよい。
【００８４】
ここで、比較サブモジュール８１は、受信したバージョンナンバーとローカルに記憶されている上記第１のユーザに対応するクラウドカードのバージョンナンバーを比較して、比較結果を得るためのものである。
【００８５】
更新サブモジュール８２は、受信したクラウドカード情報が、ローカルに記憶されている上記第１のユーザに対応するクラウドカードの更新バージョンであることを上記比較結果が示す場合、受信したクラウドカード情報を用いて、ローカルに記憶されている上記第１のユーザに対応するクラウドカードを更新することによって、上記第１のユーザの更新後のクラウドカードを得るためのものである。
【００８６】
上記実施例から分かるように、クラウドサーバは、第１のユーザのクラウドカード情報を受信した後、第１のユーザに対応するクラウドカードに含まれる各情報とバージョンナンバーを当該クラウドカード情報が含む場合、バージョンナンバーに基づいて、記憶されている第１のユーザのクラウドカードの更新要否を直接確定することができ、更新を確定すると、受信したクラウドカード情報で既に記憶されている第１のユーザのクラウドカードを直接代えることによって、クラウドサーバの更新速度も比較的速くすることができる。
【００８７】
図９に示されるように、図９は、本発明の１つの例示的な実施例に係る別のクラウドカードに基づく電話呼び出し装置のブロック図であり、上記装置は、クラウドサーバに適用され、当該実施例は、上記図７に示される実施例を基礎として、図３に示されるクラウドカードに基づく電話呼び出し方法を実行し、上記装置は、作成モジュール９１と第２の送信モジュール９２をさらに含んでもよい。
【００８８】
ここで、作成モジュール９１は、上記第１のユーザのユーザ識別子に基づいて上記第１のユーザに対応するクラウドカードを検索できなかった場合、上記第１のユーザのクラウドカード情報に基づいて上記第１のユーザに対応するクラウドカードを作成することによって、上記第１のユーザが作成したクラウドカードを取得するためのものである。
【００８９】
第２の送信モジュール９２は、上記第１のユーザが作成したクラウドカードを第２のユーザに対応する第２の端末に送信することによって、上記第１のユーザと上記第２のユーザが互いに通信する際に、上記第２のユーザが上記第１のユーザにより作成されたクラウドカードに基づいて上記第１のユーザを識別し、上記第１のユーザが作成したクラウドカードを表示するようにするためのものである。上記第２のユーザは、上記第１のユーザのユーザ識別子を記憶しているユーザである。
【００９０】
上記実施例から分かるように、クラウドサーバは、第１のユーザのクラウドカード情報を受信した後、自分が第１のユーザのクラウドカードを作成しなかった場合、受信した情報に基づいて第１のユーザのクラウドカードを作成し、作成したクラウドカードを第２のユーザに送信して、第２のユーザが第１のユーザのクラウドカードを記憶するようにし、第１のユーザと第２のユーザが通信する際に、第２のユーザが第１のユーザを自動に識別できるようにすることによって、第２のユーザが第１のユーザを識別する速度と正確度を向上させ、第２のユーザのユーザ体験も向上させる。
【００９１】
また、上記実施例において、第１のユーザと第２のユーザが互いに通信する際に、第１のユーザが更新後の電話番号を用いて第２のユーザを呼び出す通信方式、第１のユーザが更新後の電話番号を用いて第２のユーザにショットメッセージを送信する通信方式、第１のユーザが更新後のＥメールアドレスを用いて第２のユーザにＥメールを送信する通信方式のうちの少なくとも１つを含むことができる。ここで、更新後の電話番号、及び更新後のＥメールアドレスは、第１のユーザの名刺情報に含まれてもよい。
【００９２】
図１０に示されるように、図１０は、本発明の１つの例示的な実施例に係る別のクラウドカードに基づく電話呼び出し装置のブロック図であり、上記装置は、第２のユーザが使用する第２の端末に適用され、図４に示されるクラウドカードに基づく電話呼び出し方法を実行し、上記装置は、第１の受信モジュール１０１、更新モジュール１０２、及び第１の表示モジュール１０３を含んでもよい。
【００９３】
ここで、第１の受信モジュール１０１は、クラウドサーバから送信された第１のユーザの更新後のクラウドカードを受信するためのものである。
【００９４】
更新モジュール１０２は、上記第１のユーザの更新後のクラウドカードに基づいて、ローカルに記憶されている上記第１のユーザに対応するクラウドカードを更新するためのものである。
【００９５】
第１の表示モジュール１０３は、上記第１のユーザと第２のユーザが互いに通信する際に、上記第１のユーザの更新後のクラウドカードに基づいて上記第１のユーザを識別し、上記第１のユーザの更新後のクラウドカードを表示するためのものである。上記第２のユーザは、上記第１のユーザのユーザ識別子を記憶しているユーザである。
【００９６】
上記実施例から分かるように、第２の端末は、クラウドサーバから送信された第１のユーザの更新後のクラウドカードを受信すると、第１のユーザの更新後のクラウドカードに基づいて、ローカルに記憶されている第１のユーザに対応するクラウドカードを自動に更新し、第１のユーザと第２のユーザが互いに通信する際に、第１のユーザの更新後のクラウドカードに基づいて第１のユーザを識別し、第１のユーザの更新後のクラウドカードを表示して、第２のユーザが第１のユーザの更新後のクラウドカードに基づいて第１のユーザを自動に識別できるようにすることによって、第２のユーザが第１のユーザを識別する速度と正確度を向上させ、第２のユーザのユーザ体験も向上させる。ここで、第１のユーザは、第２の端末に対応する第２のユーザの連絡者である。
【００９７】
図１１に示されるように、図１１は、本発明の１つの例示的な実施例に係る別のクラウドカードに基づく電話呼び出し装置のブロック図であり、上記装置は、第２のユーザが使用する第２の端末に適用され、図５に示されるクラウドカードに基づく電話呼び出し方法を実行し、上記装置は、第２の受信モジュール１１１、記憶モジュール１１２、及び第２の表示モジュール１１３をさらに含んでもよい。
【００９８】
ここで、第２の受信モジュール１１１は、上記クラウドサーバから送信された上記第１のユーザが作成したクラウドカードを受信するためのものである。
【００９９】
記憶モジュール１１２は、上記第１のユーザが作成したクラウドカードをローカルの連絡先に記憶するためのものである。
【０１００】
第２の表示モジュール１１３は、上記第１のユーザと上記第２の端末に対応する第２のユーザが互いに通信する際に、上記第１のユーザの更新後のクラウドカードを表示することによって、上記第２のユーザが上記第１のユーザの更新後のクラウドカードに基づいて上記第１のユーザを識別するようにするためのものである。
【０１０１】
上記実施例から分かるように、第２の端末は、クラウドサーバから送信された第１のユーザが作成したクラウドカードを受信すると、第１のユーザが作成したクラウドカードをローカルの連絡先に自動に記憶し、第１のユーザと第２のユーザが互いに通信する際に、第１のユーザが作成したクラウドカードに基づいて第１のユーザを識別し、第１のユーザが作成したクラウドカードを表示して、第２のユーザが第１のユーザにより作成されたクラウドカードに基づいて第１のユーザを自動に識別できるようにすることによって、第２のユーザが第１のユーザを識別する速度と正確度を向上させ、第２のユーザのユーザ体験も向上させる。
【０１０２】
図７に応じて、本発明は、別のクラウドカードに基づく電話呼び出し装置をさらに提供し、上記装置は、クラウドサーバに適用され、
プロセッサと、
上記プロセッサにより実行可能な命令を記憶するためのメモリと、を含み、
上記プロセッサは、
第１のユーザのユーザ識別子が含まれている第１のユーザのクラウドカード情報を受信し、
上記第１のユーザのユーザ識別子に基づいて上記第１のユーザに対応するクラウドカードを検索すると、上記第１のユーザのクラウドカード情報に基づいて、上記第１のユーザに対応するクラウドカードを更新することによって、上記第１のユーザの更新後のクラウドカードを取得し、
上記第１のユーザの更新後のクラウドカードを第２のユーザに送信して、上記第１のユーザと上記第２のユーザが互いに通信する際に、上記第２のユーザが上記第１のユーザの更新後のクラウドカードに基づいて上記第１のユーザを識別し、上記第１のユーザの更新後のクラウドカードを表示するように構成され、
上記第２のユーザは、上記第１のユーザのユーザ識別子を記憶しているユーザである。
【０１０３】
図１０に応じて、本発明は、別のクラウドカードに基づく電話呼び出し装置をさらに提供し、上記装置は、第２の端末に適用され、
プロセッサと、
上記プロセッサにより実行可能な命令を記憶するためのメモリと、を含み、
上記プロセッサは、
クラウドサーバから送信された第１のユーザの更新後のクラウドカードを受信し、
上記第１のユーザの更新後のクラウドカードに基づいて、ローカルに記憶されている上記第１のユーザに対応するクラウドカードを更新し、
上記第１のユーザと上記第２の端末に対応する第２のユーザが互いに通信する際に、上記第１のユーザの更新後のクラウドカードに基づいて上記第１のユーザを識別し、上記第１のユーザの更新後のクラウドカードを表示するように構成され、
上記第２のユーザは、上記第１のユーザのユーザ識別子を記憶しているユーザである。
【０１０４】
上記装置において、各モジュールの機能と作用の実現過程の細部は、上記方法における対応するステップの実現過程を参照すればよく、ここでは説明しない。
【０１０５】
装置の実施例において、基本的に方法実施例に対応するため、関連する部分については、方法実施例の部分説明を参照すればよい。以上で記述した装置実施例は、ただ例示的なものであり、そのうち、分離部品として説明された上記モジュールは、物理的に分離されているものであってもよく、そうではなくてもよく、モジュールとして示される部品は、物理的なモジュールであってもよく、そうではなくてもよい。即ち、同一の場所に位置していてもよく、または複数のネットワークモジュールに分布されていてもよい。実際の必要によって、そのうちの一部又は全部のモジュールを選択して本発明の技術案の目的を実現することができる。当業者は、創造性の労働を行わなくても、理解及び実施することができる。
【０１０６】
図１２に示されるように、図１２は、１つの例示的な実施例に係るクラウドカードに基づく電話呼び出し装置１９００に用いられる構成模式図（クラウドサーバ側）であり、例えば、装置１９００は、１つまたは１つ以上のプロセッサを含むプロセスアセンブリ１９２２と、プロセスアセンブリ１９２２により実行可能な命令、例えばアプリケーションプログラムを記憶するためのメモリ１９３２を代表とするメモリ資源と、を含む。メモリ１９３２に記憶されているアプリケーションプログラムは、それぞれが一組の命令に対応する１つまたは１つ以上のモジュールを含んでもよい。また、プロセスアセンブリ１９２２は、命令を実行するように構成される。
【０１０７】
装置１９００は、装置１９００の電源を管理するように構成される電源アセンブリ１９２６と、装置１９００をネットワークに接続するように構成される１つの有線又は無線ネットワークインタフェース１９５０と、１つの入出力（Ｉ／Ｏ）インタフェース１９５８とをさらに含む。装置１９００は、メモリ１９３２に記憶されているＯＳ、例えば、Ｗｉｎｄｏｗｓ（登録商標） Ｓｅｒｖｅｒ、Ｍａｃ ＯＳ Ｘ（登録商標）、Ｕｎｉｘ（登録商標）、Ｌｉｎｕｘ（登録商標）、ＦｒｅｅＢＳＤ（登録商標）などあるいは類似するシステムに基づいて動作することができる。
【０１０８】
図１３に示されるように、図１３は、本発明の１つの例示的な実施例に係るクラウドカードに基づく電話呼び出し装置１３００の別の構成模式図（端末装置側）である。例えば、装置１３００は、ルータ機能を有する携帯電話、コンピュータ、デジタル放送端末、メッセージ送受信装置、ゲームコンソール、タブレット装置、医療設備、フィットネス装置、ＰＤＡなどである。
【０１０９】
図１３を参照すると、装置１３００は、プロセスアセンブリ１３０２、メモリ１３０４、電源アセンブリ１３０６、マルチメディアアセンブリ１３０８、オーディオアセンブリ１３１０、入出力（Ｉ／Ｏ）インタフェース１３１２、センサアセンブリ１３１３、及び通信アセンブリ１３１６のような１つ或いは複数のアセンブリを含んでもよい。
【０１１０】
プロセスアセンブリ１３０２は、一般的には装置１３００の全体の動作を制御するものであり、例えば、表示、電話呼び出し、データ通信、カメラ操作、及び記録操作と関連する操作を制御する。プロセスアセンブリ１３０２は、１つ以上のプロセッサ１３２０を含み、これらによって命令を実行することにより、上記の方法の全部、或は一部のステップを実現するようにしてもよい。なお、プロセスアセンブリ１３０２は、１つ以上のモジュールを含んでプロセスアセンブリ１３０２と他のアセンブリの間のインタラクションを容易にしてもよい。例えば、プロセスアセンブリ１３０２は、マルチメディアモジュールを含んでマルチメディアアセンブリ１３０８とプロセスアセンブリ１３０２の間のインタラクションを容易にしてもよい。
【０１１１】
メモリ１３０４は、各種類のデータを記憶することにより装置１３００の動作を支援するように構成される。これらのデータの例は、装置１３００において操作されるいずれのアプリケーションプログラム又は方法の命令、連絡対象データ、電話帳データ、メッセージ、画像、ビデオ等を含む。メモリ１３０４は、いずれかの種類の揮発性メモリ、不揮発性メモリ記憶デバイスまたはそれらの組み合わせによって実現されてもよく、例えば、ＳＲＡＭ（Ｓｔａｔｉｃ Ｒａｎｄｏｍ Ａｃｃｅｓｓ Ｍｅｍｏｒｙ）、ＥＥＰＲＯＭ（Ｅｌｅｃｔｒｉｃａｌｌｙ Ｅｒａｓａｂｌｅ Ｐｒｏｇｒａｍｍａｂｌｅ Ｒｅａｄ−Ｏｎｌｙ Ｍｅｍｏｒｙ）、ＥＰＲＯＭ（Ｅｒａｓａｂｌｅ Ｐｒｏｇｒａｍｍａｂｌｅ Ｒｅａｄ Ｏｎｌｙ Ｍｅｍｏｒｙ）、ＰＲＯＭ（Ｐｒｏｇｒａｍｍａｂｌｅ ＲＯＭ）、ＲＯＭ（Ｒｅａｄ Ｏｎｌｙ  Ｍｅｍｏｒｙ）、磁気メモリ、フラッシュメモリ、磁気ディスク、或いは光ディスクである。
【０１１２】
電源アセンブリ１３０６は、装置１３００の各アセンブリに電力を供給する。電源アセンブリ１３０６は、電源管理システム、１つ或いは複数の電源、及び装置１３００のための電力の生成、管理、及び割り当てに関連する他のアセンブリを含んでもよい。
【０１１３】
マルチメディアアセンブリ１３０８は、上記装置１３００とユーザの間に１つの出力インタフェースを提供するスクリーンを含む。部分実施例において、スクリーンは、液晶モニター（ＬＣＤ）とタッチパネル（ＴＰ）を含んでもよい。スクリーンがタッチパネルを含むことにより、スクリーンはタッチスクリーンを実現することができ、ユーザからの入力信号を受信することができる。タッチパネルは、１つ以上のタッチセンサを含み、タッチ、スライド、及びタッチパネル上のジェスチャを検出することができる。
【０１１４】
上記タッチセンサは、タッチ、或はスライド動作の境界だけでなく、上記タッチ、或はスライド操作に係る継続時間、及び圧力も検出できる。部分実施例において、マルチメディアアセンブリ１３０８は、１つのフロントカメラ、及び／又はリアカメラを含む。装置１３００が、例えば撮影モード、或はビデオモード等の操作モードにある場合、フロントカメラ、及び／又はリアカメラは外部からマルチメディアデータを受信できる。フロントカメラとリアカメラのそれぞれは、１つの固定型の光レンズ系、或は可変焦点距離と光学ズーム機能を有するものであってもよい。
【０１１５】
オーディオアセンブリ１３１０は、オーディオ信号を入出力するように構成される。例えば、オーディオアセンブリ１３１０は、１つのマイク（ＭＩＣ）を含み、装置１３００が、例えば呼出しモード、記録モード、及び音声認識モード等の操作モードにある場合、マイクは外部のオーディオ信号を受信することができる。受信されたオーディオ信号は、さらにメモリ１３０４に記憶されたり、通信アセンブリ１３１６を介して送信されたりする。部分実施例において、オーディオアセンブリ１３１０は、オーディオ信号を出力するための１つのスピーカーをさらに含む。
【０１１６】
Ｉ／Ｏインタフェース１３１２は、プロセスアセンブリ１３０２と周辺インタフェースモジュールの間にインタフェースを提供するものであり、上記周辺インタフェースモジュールは、キーボード、クリックホイール、ボタン等であってもよい。これらのボタンは、ホームボタン、ボリュームボタン、起動ボタン、ロッキングボタンを含んでもよいが、これらに限定されない。
【０１１７】
センサアセンブリ１３１３は、装置１３００に各方面の状態に対する評価を提供するための１つ以上のセンサを含む。例えば、センサアセンブリ１３１３は、装置１３００のＯＮ／ＯＦＦ状態、装置１３００のディスプレイとキーパッドのようなアセンブリの相対的な位置決めを検出できる。また、センサアセンブリ１３１３は、装置１３００、或いは装置１３００の１つのアセンブリの位置変更、ユーザと装置１３００とが接触しているか否か、装置１３００の方位、又は加速／減速、装置１３００の温度の変化を検出できる。
【０１１８】
センサアセンブリ１３１３は、何れの物理的接触がない状態にて付近の物体の存在を検出するための近接センサを含んでもよい。センサアセンブリ１３１３は、撮影アプリケーションに適用するため、ＣＭＯＳ、又はＣＣＤ画像センサのような光センサを含んでもよい。部分実施例において、当該センサアセンブリ１３１３は、加速度センサ、ジャイロスコープセンサ、磁気センサ、圧力センサ、及び温度センサをさらに含んでもよい。
【０１１９】
通信アセンブリ１３１６は、装置１３００と他の機器の間に有線、又は無線形態の通信を提供する。装置１３００は、例えばＷｉＦｉ（登録商標）、２Ｇ、３Ｇ、或はこれらの組み合わせのような、通信規格に基づいた無線ネットワークに接続されてもよい。１つの例示的な実施例において、通信アセンブリ１３１６は、放送チャンネルを介して外部の放送管理システムからの放送信号、又は放送に関連する情報を受信する。
【０１２０】
１つの例示的な実施例において、上記通信アセンブリ１３１６は、近距離無線通信（ＮＦＣ）モジュールをさらに含むことにより、近距離通信をプッシュする。例えば、ＮＦＣモジュールは、ＲＦＩＤ（Ｒａｄｉｏ Ｆｒｅｑｕｅｎｃｙ ＩＤｅｎｔｉｆｉｃａｔｉｏｎ）技術、ＩｒＤＡ（Ｉｎｆｒａｒｅｄ Ｄａｔａ Ａｓｓｏｃｉａｔｉｏｎ）技術、ＵＷＢ（Ｕｌｔｒａ Ｗｉｄｅ Ｂａｎｄ）技術、ＢＴ（Ｂｌｕｅｔｏｏｔｈ（登録商標））技術、及び他の技術に基づいて実現できる。
【０１２１】
例示的な実施例において、装置１３００は、１つ以上のＡＳＩＣ（Ａｐｐｌｉｃａｔｉｏｎ Ｓｐｅｃｉｆｉｃ Ｉｎｔｅｇｒａｔｅｄ Ｃｉｒｃｕｉｔ）、ＤＳＰ（Ｄｉｇｉｔａｌ Ｓｉｇｎａｌ Ｐｒｏｃｅｓｓｏｒ）、ＤＳＰＤ（Ｄｉｇｉｔａｌ Ｓｉｇｎａｌ Ｐｒｏｃｅｓｓｉｎｇ Ｄｅｖｉｃｅ）、ＰＬＤ（Ｐｒｏｇｒａｍｍａｂｌｅ Ｌｏｇｉｃ Ｄｅｖｉｃｅ）、ＦＰＧＡ（Ｆｉｅｌｄ−Ｐｒｏｇｒａｍｍａｂｌｅ Ｇａｔｅ Ａｒｒａｙ）、コントローラ、マイクロコントローラ、マイクロプロセッサ、または他の電子部品によって実現されるものであり、上記方法を実行する。
【０１２２】
例示的な実施例において、命令を含むコンピュータ読取り可能な非一時的な記録媒体、例えば命令を含むメモリ１３０４をさらに提供し、装置１３００のプロセッサ１３２０により上記命令を実行して上記方法を実現する。例えば、上記コンピュータ読取り可能な非一時的な記録媒体は、ＲＯＭ、ＲＡＭ、ＣＤ（登録商標）−ＲＯＭ、磁気テープ、フロッピー（登録商標）ディスク、光データ記憶デバイス等である。
【０１２３】
当業者は、明細書に対する理解、及び明細書に記載された発明に対する実施を通じて、本発明の他の実施形態を容易に得ることができる。本発明は、本発明に対する任意の変形、用途、または適応的な変化を含み、このような変形、用途、または適応的な変化は、本発明の一般的な原理に従い、本発明では開示していない本技術分野の公知の知識、または通常の技術手段を含む。明細書と実施例は、ただ例示的なものであって、本発明の本当の範囲と主旨は、以下の特許請求の範囲によって示される。
【０１２４】
本発明は、上記で記述し、図面で図示した特定の構成に限定されず、その範囲を離脱しない状況で、様様な修正と変更を実現できる。本発明の範囲は、添付される特許請求の範囲のみにより限定される。
【０１２５】
本願は、出願番号がＣＮ２０１５１０２０５３７０．３であって、出願日が２０１５年４月２７日である中国特許出願に基づき優先権を主張し、当該中国特許出願のすべての内容を本願に援用する。
【手続補正４】
【補正対象書類名】図面
【補正対象項目名】図１３
【補正方法】変更
【補正の内容】
【図１３】
2017518008.tif 000016
【国際調査報告】
2017518008.tif 000017
2017518008.tif 000018
2017518008.tif 000019
2017518008.tif 000020
2017518008.tif 000021
2017518008.tif 000022